(57)【要約】【課題】現在地情報が変動する移動型受信装置であっても、ＩＰ配信の視聴制限を適正に決定する。【解決手段】移動型受信装置５Ｂは、通信網１０を経由して放送局ポータルサーバ４から提供されるコンテンツを受信する場合に、衛星から受信した信号によって現在の位置情報を検出し、受信開始時及び受信開始後の適時に、位置情報に対応する郵便番号と共に受信対象の放送局情報を放送局ポータルサーバ４に送信し、放送局ポータルサーバ４からコンテンツが配信可能である旨の配信判別情報が送信された場合には、通信網１０を経由してコンテンツを受信させ、放送局ポータルサーバ４からコンテンツの配信不可である旨の配信判別情報が送信された場合には、通信網１０を経由した受信を停止する。【選択図】図１
2013077916.tif 000002
【特許請求の範囲】
【請求項１】
放送局から提供されたコンテンツを、通信網を経由して提供する放送局ポータルサーバと、
前記放送局ポータルサーバから送信されたコンテンツを、前記通信網を経由して受信する移動型受信装置と、を備え、
前記移動型受信装置は、
前記通信網を経由して前記放送局ポータルサーバと通信する通信部と、
現在位置を検出する位置検出部と、
前記位置検出部によって検出された現在位置が属す地域を示す地域情報を記憶する記憶部と、
前記通信部を制御する制御部と、を備え、
前記制御部は、
コンテンツを受信する際に、前記通信部を制御し、前記記憶部に記憶された前記地域情報と共に放送局を特定する放送局情報を前記放送局ポータルサーバに送信し、
送信した前記地域情報及び前記放送局情報に応答して、前記放送局ポータルサーバからコンテンツを配信可能である旨の配信判別情報が送信された場合、前記通信部を制御して、前記放送局ポータルサーバより、送信した放送局情報で特定される放送局のコンテンツを、前記通信網を経由して受信し、
コンテンツ受信開始後の所定のタイミングで、前記通信部を制御し、前記記憶部に記憶されている地域情報を前記放送局ポータルサーバに送信し、
送信した前記地域情報に応答して、前記放送局ポータルサーバから配信可能である旨の配信判別情報が送信された場合には、前記放送局ポータルサーバから送信されている前記コンテンツの受信を継続し、前記放送局ポータルサーバから配信不可である旨の配信判別情報が送信された場合には、前記放送局ポータルサーバから送信されている前記コンテンツの受信を停止し、
前記放送局ポータルサーバは、
前記移動型受信装置から送信された前記地域情報と前記放送局情報に適合する放送局のコンテンツの配信が可能か否かを判別して、配信可能か配信不可かを示す配信判別情報を設定する配信可否判別部と、
前記配信可否判別部によって設定された配信判別情報を前記移動型受信装置に送信する通信制御部と、を有する、
ことを特徴とする情報配信システム。
【請求項２】
前記制御部は、
前記地域情報と放送局情報を前記放送局ポータルサーバに送信したときの現在位置を記憶するメモリを備え、
前記メモリに記憶している位置情報で特定される位置と前記位置検出部によって検出される現在位置とが所定の条件を充足するときに、前記地域情報を前記放送局ポータルサーバに送信する、
ことを特徴とする請求項１に記載の情報配信システム。
【請求項３】
前記所定の条件は、前記メモリに記憶している位置情報で特定される位置と前記位置検出部によって検出された現在位置との距離が、所定の基準値よりも大きくなることである、
ことを特徴とする請求項２に記載の情報配信システム。
【請求項４】
前記制御部は、前記配信許可を示す情報を前記放送局ポータルサーバより受信したことに応答して、前記メモリに記憶されている位置情報を前記位置検出部が検出した現在位置を示す位置情報に更新する、
ことを特徴とする請求項２又は３に記載の情報配信システム。
【請求項５】
複数の位置を特定する位置情報と各位置が属す地域を特定する地域情報とを対応付けて記憶する位置情報変換データベースと、
前記移動型受信装置から送信された位置情報から、前記位置情報変換データベースを参照して、その位置情報に対応する地域情報を特定する地域特定処理部と、
前記地域特定処理部によって特定された地域情報を前記移動型受信装置に送信する通信制御部と、
を有する放送局管理サーバを、前記通信網上にさらに備え、
前記移動型受信装置の制御部は、前記位置検出部によって検出された現在位置を示す位置情報を前記放送局管理サーバに送信し、
前記記憶部は、前記放送局管理サーバから送信された地域情報を記憶する、
ことを特徴とする請求項１乃至４の何れか１項に記載の情報配信システム。
【請求項６】
前記制御部は、前記放送局ポータルサーバに、移動型受信装置であることを識別するための装置情報を送信し、
前記放送局管理サーバは、
通信網を介して前記装置情報を受信し、受信した装置情報に基づいて、受信装置が移動型であるか否かを判別し、移動型であると判別したとき、前記通信処理部は、送信する地域情報に移動監視距離を付与し、
前記移動型受信装置の前記記憶部は、前記放送局管理サーバから送信された前記移動監視距離及び前記位置検出部によって検出された位置情報を記憶し、
前記移動型受信装置の前記制御部は、前記位置検出部によって一定期間ごとに又は特定の事象に起因して検出される位置情報と前記記憶部に記憶された前記位置情報とが所定の条件を充足するか否かを判別し、充足すると判別したときは、前記位置情報検知部により検出された位置を示す位置情報を、前記放送局ポータルサーバに送信することにより配信判別情報の送信を要求する、
ことを特徴とする請求項５に記載の情報配信システム。
【請求項７】
前記放送局ポータルサーバの前記配信可否判別部は、
前記地域情報及び前記放送局情報と共に受信装置の受信性能を示す機器情報を受信したときは、
前記放送局情報に基づいて前記地域情報における受信条件を取得し、前記受信性能が前記受信条件を満たすか否かを判別して、前記受信性能が前記受信条件を満たすと判別した場合には、放送情報が配信可能である旨の配信判別情報を設定する、
ことを特徴とする請求項１乃至６のいずれか１項に記載の情報配信システム。
【請求項８】
前記放送局ポータルサーバの前記配信可否判別部は、
受信性能が前記受信条件を満たさないと判別した場合に、前記地域情報が示す地域が予め設定されている難視聴地域に該当するか否かを判別し、前記地域情報が難視聴地域でないと判別した場合には、放送情報が配信可能である旨の配信判別情報を設定し、前記地域情報が難視聴地域であると判別した場合には、放送情報の配信禁止地域である旨の配信判別情報を設定する、
ことを特徴とする請求項７に記載の情報配信システム。
【請求項９】
前記放送局ポータルサーバの前記配信可否判別部は、
受信した前記地域情報及び前記放送局情報に基づいて、前記地域情報が示す地域が難視聴地域に該当しないと判別した場合に、受信感度情報の送信が必要である旨の判別結果を前記通信制御部により前記移動型受信装置に送信し、前記移動型受信装置から受信感度情報および機器情報が送信されたときは、その受信感度情報および機器情報に基づいて放送情報が配信可能である旨又は配信禁止地域である旨の配信判別情報を設定して前記通信制御部により前記移動型受信装置に送信する、
ことを特徴とする請求項８に記載の情報配信システム。
【請求項１０】
前記放送局ポータルサーバの前記通信制御部は、
前記通信網を介して前記地域情報、前記放送局情報及び前記機器情報を受信したときは、前記放送局情報及び前記機器情報を所定の放送局管理サーバに送信して配信可否判別処理を委託し、
前記放送局管理サーバから配信可能である旨の配信可否判別結果が送信されたときは、放送情報の配信が可能である旨の配信判別情報を前記移動型受信装置に送信し、前記放送局管理サーバから配信不可地域である旨の配信可否判別結果が送信されたときは、前記配信可否判別部により前記地域情報が難視聴地域でないと判別された場合に、放送情報が配信可能である旨の配信判別情報を前記移動型受信装置に送信し、前記配信可否判別部により前記地域情報が難視聴地域であると判別された場合に、放送情報が配信禁止地域である旨の配信判別情報を前記移動型受信装置に送信する、
ことを特徴とする請求項１乃至９のいずれか１項に記載の情報配信システム。
【請求項１１】
前記放送局ポータルサーバにおいて、前記通信制御部は、前記移動型受信装置から前記地域情報及び前記機器情報が送信されたときは、前記配信可否判別部により前記地域情報が難視聴地域であると判別された場合には、受信感度情報の送信を必要とする旨の判別結果を前記受信装置に送信し、前記受信装置から受信感度情報および前記機器情報が送信されたときは、前記受信感度情報および前記機器情報を前記放送局管理サーバに送信して配信可否判別処理を委託し、前記放送局管理サーバから送信された配信可否判別結果によって、放送情報が配信可能である旨又は放送情報が配信禁止地域である旨の配信判別情報を前記移動型受信装置に送信する、
ことを特徴とする請求項１乃至５のいずれか１項に記載の情報配信システム。
【請求項１２】
放送局ポータルサーバから、通信網を経由して配信されるコンテンツを受信する受信装置であって、
前記通信網を経由して前記放送局ポータルサーバと通信する通信部と、
現在位置の地域情報を記憶する記憶部と、
コンテンツを受信するときに、前記通信部を介して、前記記憶部に記憶された前記地域情報と放送局を特定する放送局情報を前記放送局ポータルサーバに送信し、前記放送局ポータルサーバから配信可能である旨の配信判別情報が送信された場合には、前記通信部を介して、前記放送局ポータルサーバより送信されるコンテンツを受信し、コンテンツ受信開始後の所定のタイミングで、前記通信部を介して、前記記憶部に記憶されている地域情報を前記放送局ポータルサーバに送信し、前記放送局ポータルサーバから配信可能である旨の配信判別情報が送信された場合には、前記放送局ポータルサーバから送信されている前記コンテンツの受信を継続し、前記放送局ポータルサーバから配信不可である旨の配信判別情報が送信された場合には、前記コンテンツの受信を停止する、制御部と、
を備えることを特徴とする受信装置。
【請求項１３】
現在位置が属す地域を特定する地域情報記憶し、
記憶した前記地域情報と受信対象の放送局を特定する情報を、通信網を介して、放送局ポータルサーバのアドレスに送信し、
前記放送局ポータルサーバからコンテンツが配信可能である旨の配信判別情報が送信された場合には、前記通信網を経由して前記コンテンツを受信し、
コンテンツの受信開始後に、その時点の地域情報を前記放送局ポータルサーバに送信し、
送信した前記地域情報に応答して、前記放送局ポータルサーバから配信可能である旨の配信判別情報が送信された場合には、前記放送局ポータルサーバから送信されている前記コンテンツの受信を継続し、前記放送局ポータルサーバから配信不可である旨の配信判別情報が送信された場合には、前記コンテンツの受信を停止する、
ことを特徴とする情報受信方法。
【請求項１４】
通信機能を有するコンピュータを、放送局ポータルサーバから、通信網を経由して配信されるコンテンツを受信する受信装置として動作させるコンピュータプログラムであって、
コンピュータに、
現在位置を示す位置情報を取得する機能と、
コンテンツを受信するときに、位置情報と放送局を特定する放送局情報を前記放送局ポータルサーバに送信し、前記放送局ポータルサーバから配信可能である旨の配信判別情報が送信された場合には、前記放送局ポータルサーバより前記通信網を経由して送信した放送局情報で特定される放送局のコンテンツを受信する機能と、
コンテンツ受信開始後の所定のタイミングで、位置情報を前記放送局ポータルサーバに送信し、前記放送局ポータルサーバから配信可能である旨の配信判別情報が送信された場合には、前記放送局ポータルサーバから送信されている前記コンテンツの受信を継続し、前記放送局ポータルサーバから配信不可である旨の配信判別情報が送信された場合には、前記コンテンツの受信を停止する制御機能と、
を実現するコンピュータプログラム。
【発明の詳細な説明】
【技術分野】
【０００１】
本発明は、情報配信システム及び情報配信方法に関する。
【背景技術】
【０００２】
テレビジョン放送やラジオ放送のコンテンツの配信には、地上アナログ放送、地上デジタル放送、ＦＭラジオ放送等の電波を介して放送を行う放送波型放送や、敷設した専用のケーブルを介したケーブル型放送がある。さらに、近年、インターネット等のＩＰ（Internet Protocol）通信網を介して放送を行うＩＰ型放送が注目されている。
【０００３】
ＩＰ型放送は、放送型放送に比較して高品質のコンテンツが得られる上、電話回線を利用したＡＤＳＬ（Asymmetric Digital Subscriber Line）技術や光ファイバーによる光通信等によるブロードバンド接続によって、現存する資源を有効に活用して、コンテンツを受信できるという利点がある。
【０００４】
一般に、ＩＰ型放送における放送型のコンテンツ配信（以下、「ＩＰ配信」という）は、受信地域を限定して行われる。すなわち、受信装置が設置されている地理的な情報に基づいて、ＩＰ配信又はその視聴を許可又は禁止する。例えば、特許文献１には、受信機の現在地の情報に基づいてＩＰ配信の視聴を許可又は禁止するＩＰ型放送システムが開示されている。
【先行技術文献】
【特許文献】
【０００５】
【特許文献１】特開２０１１−０７１９３５号公報
【発明の概要】
【発明が解決しようとする課題】
【０００６】
車両に搭載された受信装置や携帯型受信装置（以下、「移動型受信装置」という）は、その位置が変化する。このため、ＩＰ配信の視聴が許可されている地域で放送の受信を開始し、その後、視聴が禁止されている地域に移動することがある。このような場合、本来であれば、視聴が禁止されている地域に移動した時点で視聴を禁止すべきである。しかし、特許文献１に開示されている手法では、視聴が許可された地域で受信を開始した放送コンテンツを、視聴が禁止されている地域に移動した後でも継続して受信・再生することができる。
【０００７】
本発明は、上記実情に鑑みてなされたものであり、視聴が禁止されているエリアに移動した受信装置による配信コンテンツの視聴制限を適切に行うことができる情報配信システム及び情報配信方法を提供することを目的とする。
また、本発明は、移動型受信装置であっても、ＩＰ配信の視聴制限を適正に決定することができる情報配信システム及び情報配信方法を提供することを他の目的とする。
【課題を解決するための手段】
【０００８】
上記目的を達成するため、本発明の第１の観点に係る情報配信システムは、
放送局から提供されたコンテンツを、通信網を経由して提供する放送局ポータルサーバと、
前記放送局ポータルサーバから送信されたコンテンツを、前記通信網を経由して受信する移動型受信装置と、を備え、
前記移動型受信装置は、
前記通信網を経由して前記放送局ポータルサーバと通信する通信部と、
現在位置を検出する位置検出部と、
前記位置検出部によって検出された現在位置が属す地域を示す地域情報を記憶する記憶部と、
前記通信部を制御する制御部と、を備え、
前記制御部は、
コンテンツを受信する際に、前記通信部を制御し、前記記憶部に記憶された前記地域情報と共に放送局を特定する放送局情報を前記放送局ポータルサーバに送信し、
送信した前記地域情報及び前記放送局情報に応答して、前記放送局ポータルサーバからコンテンツを配信可能である旨の配信判別情報が送信された場合、前記通信部を制御して、前記放送局ポータルサーバより、送信した放送局情報で特定される放送局のコンテンツを、前記通信網を経由して受信し、
コンテンツ受信開始後の所定のタイミングで、前記通信部を制御し、前記記憶部に記憶されている地域情報を前記放送局ポータルサーバに送信し、
送信した前記地域情報に応答して、前記放送局ポータルサーバから配信可能である旨の配信判別情報が送信された場合には、前記放送局ポータルサーバから送信されている前記コンテンツの受信を継続し、前記放送局ポータルサーバから配信不可である旨の配信判別情報が送信された場合には、前記放送局ポータルサーバから送信されている前記コンテンツの受信を停止し、
前記放送局ポータルサーバは、
前記移動型受信装置から送信された前記地域情報と前記放送局情報に適合する放送局のコンテンツの配信が可能か否かを判別して、配信可能か配信不可かを示す配信判別情報を設定する配信可否判別部と、
前記配信可否判別部によって設定された配信判別情報を前記移動型受信装置に送信する通信制御部と、を有する、
ことを特徴とする。
【０００９】
前記制御部は、例えば、前記地域情報と放送局情報を前記放送局ポータルサーバに送信したときの現在位置を記憶するメモリを備え、前記メモリに記憶している位置情報で特定される位置と前記位置検出部によって検出される現在位置とが所定の条件を充足するときに、前記地域情報を前記放送局ポータルサーバに送信する。
【００１０】
例えば、前記所定の条件の１つは、前記メモリに記憶している位置情報で特定される位置と前記位置検出部によって検出された現在位置との距離が、所定の基準値よりも大きくなることである。
【００１１】
前記制御部は、例えば、前記配信許可を示す情報を前記放送局ポータルサーバより受信したことに応答して、前記メモリに記憶されている位置情報を前記位置検出部が検出した現在位置を示す位置情報に更新する。
【００１２】
例えば、複数の位置を特定する位置情報と各位置が属す地域を特定する地域情報とを対応付けて記憶する位置情報変換データベースと、前記移動型受信装置から送信された位置情報から、前記位置情報変換データベースを参照して、その位置情報に対応する地域情報を特定する地域特定処理部と、前記地域特定処理部によって特定された地域情報を前記移動型受信装置に送信する通信制御部と、を有する放送局管理サーバを前記通信網上にさらに備え、前記移動型受信装置の制御部は、前記位置検出部によって検出された現在位置を示す位置情報を前記放送局管理サーバに送信し、前記記憶部は、前記放送局管理サーバから送信された地域情報を記憶する、ように構成してもよい。
【００１３】
前記制御部は、例えば、前記放送局ポータルサーバに、移動型受信装置であることを識別するための装置情報を送信し、前記放送局管理サーバは、通信網を介して前記装置情報を受信し、受信した装置情報に基づいて、受信装置が移動型であるか否かを判別し、移動型であると判別したとき、前記通信処理部は、送信する地域情報に移動監視距離を付与し、前記移動型受信装置の前記記憶部は、前記放送局管理サーバから送信された前記移動監視距離及び前記位置検出部によって検出された位置情報を記憶し、前記移動型受信装置の前記制御部は、前記位置検出部によって一定期間ごとに又は特定の事象に起因して検出される位置情報と前記記憶部に記憶された前記位置情報とが所定の条件を充足するか否かを判別し、充足すると判別したときは、前記位置情報検知部により検出された位置を示す位置情報を、前記放送局ポータルサーバに送信することにより配信判別情報の送信を要求する。
【００１４】
例えば、前記放送局ポータルサーバの前記配信可否判別部は、前記地域情報及び前記放送局情報と共に受信装置の受信性能を示す機器情報を受信したときは、前記放送局情報に基づいて前記地域情報における受信条件を取得し、前記受信性能が前記受信条件を満たすか否かを判別して、前記受信性能が前記受信条件を満たすと判別した場合には、放送情報が配信可能である旨の配信判別情報を設定する。
【００１５】
前記放送局ポータルサーバの前記配信可否判別部は、受信性能が前記受信条件を満たさないと判別した場合に、前記地域情報が示す地域が予め設定されている難視聴地域に該当するか否かを判別し、前記地域情報が難視聴地域でないと判別した場合には、放送情報が配信可能である旨の配信判別情報を設定し、前記地域情報が難視聴地域であると判別した場合には、放送情報の配信禁止地域である旨の配信判別情報を設定する。
【００１６】
前記放送局ポータルサーバの前記配信可否判別部は、受信した前記地域情報及び前記放送局情報に基づいて、前記地域情報が示す地域が難視聴地域に該当しないと判別した場合に、受信感度情報の送信が必要である旨の判別結果を前記通信制御部により前記移動型受信装置に送信し、前記移動型受信装置から受信感度情報および機器情報が送信されたときは、その受信感度情報および機器情報に基づいて放送情報が配信可能である旨又は配信禁止地域である旨の配信判別情報を設定して前記通信制御部により前記移動型受信装置に送信する。
【００１７】
例えば、前記放送局ポータルサーバの前記通信制御部は、前記通信網を介して前記地域情報、前記放送局情報及び前記機器情報を受信したときは、前記放送局情報及び前記機器情報を所定の放送局管理サーバに送信して配信可否判別処理を委託し、前記放送局管理サーバから配信可能である旨の配信可否判別結果が送信されたときは、放送情報の配信が可能である旨の配信判別情報を前記移動型受信装置に送信し、前記放送局管理サーバから配信不可地域である旨の配信可否判別結果が送信されたときは、前記配信可否判別部により前記地域情報が難視聴地域でないと判別された場合に、放送情報が配信可能である旨の配信判別情報を前記移動型受信装置に送信し、前記配信可否判別部により前記地域情報が難視聴地域であると判別された場合に、放送情報が配信禁止地域である旨の配信判別情報を前記移動型受信装置に送信する。
【００１８】
前記放送局ポータルサーバにおいて、前記通信制御部は、前記移動型受信装置から前記地域情報及び前記機器情報が送信されたときは、前記配信可否判別部により前記地域情報が難視聴地域であると判別された場合には、受信感度情報の送信を必要とする旨の判別結果を前記受信装置に送信し、前記受信装置から受信感度情報および前記機器情報が送信されたときは、前記受信感度情報および前記機器情報を前記放送局管理サーバに送信して配信可否判別処理を委託し、前記放送局管理サーバから送信された配信可否判別結果によって、放送情報が配信可能である旨又は放送情報が配信禁止地域である旨の配信判別情報を前記移動型受信装置に送信する。
【００１９】
本願発明に係る受信装置は、例えば、放送局ポータルサーバから、通信網を経由して配信されるコンテンツを受信する受信装置であって、前記通信網を経由して前記放送局ポータルサーバと通信する通信部と、現在位置の地域情報を記憶する記憶部と、コンテンツを受信するときに、前記通信部を介して、前記記憶部に記憶された前記地域情報と放送局を特定する放送局情報を前記放送局ポータルサーバに送信し、前記放送局ポータルサーバから配信可能である旨の配信判別情報が送信された場合には、前記通信部を介して、前記放送局ポータルサーバより送信されるコンテンツを受信し、コンテンツ受信開始後の所定のタイミングで、前記通信部を介して、前記記憶部に記憶されている地域情報を前記放送局ポータルサーバに送信し、前記放送局ポータルサーバから配信可能である旨の配信判別情報が送信された場合には、前記放送局ポータルサーバから送信されている前記コンテンツの受信を継続し、前記放送局ポータルサーバから配信不可である旨の配信判別情報が送信された場合には、前記コンテンツの受信を停止する、制御部と、を備える。
【００２０】
また、この発明に係るコンテンツ受信方法は、
現在位置が属す地域を特定する地域情報記憶し、
記憶した前記地域情報と受信対象の放送局を特定する情報を、通信網を介して、放送局ポータルサーバのアドレスに送信し、
前記放送局ポータルサーバからコンテンツが配信可能である旨の配信判別情報が送信された場合には、前記通信網を経由して前記コンテンツを受信し、
コンテンツの受信開始後に、その時点の地域情報を前記放送局ポータルサーバに送信し、送信した前記地域情報に応答して、前記放送局ポータルサーバから配信可能である旨の配信判別情報が送信された場合には、前記放送局ポータルサーバから送信されている前記コンテンツの受信を継続し、前記放送局ポータルサーバから配信不可である旨の配信判別情報が送信された場合には、前記コンテンツの受信を停止する、
ことを特徴とする。
【００２１】
また、この発明に係るコンピュータプログラムは、通信機能を有するコンピュータを、放送局ポータルサーバから、通信網を経由して配信されるコンテンツを受信する受信装置として動作させるコンピュータプログラムであって、
コンピュータに、
現在位置を示す位置情報を取得する機能と、
コンテンツを受信するときに、位置情報と放送局を特定する放送局情報を前記放送局ポータルサーバに送信し、前記放送局ポータルサーバから配信可能である旨の配信判別情報が送信された場合には、前記放送局ポータルサーバより前記通信網を経由して送信した放送局情報で特定される放送局のコンテンツを受信する機能と、
コンテンツ受信開始後の所定のタイミングで、位置情報を前記放送局ポータルサーバに送信し、前記放送局ポータルサーバから配信可能である旨の配信判別情報が送信された場合には、前記放送局ポータルサーバから送信されている前記コンテンツの受信を継続し、前記放送局ポータルサーバから配信不可である旨の配信判別情報が送信された場合には、前記コンテンツの受信を停止する制御機能と、
を実現させる。
【発明の効果】
【００２２】
本発明の情報配信システム及び情報配信方法によれば、受信が禁止されているエリアに移動した受信装置による配信コンテンツの視聴制限を適切に行うことができる。
また、本発明の情報配信システム及び情報配信方法によれば、現在地情報が変動する移動型受信装置であっても、ＩＰ配信の視聴制限を適正に決定することができる。
【図面の簡単な説明】
【００２３】
【図１】本発明の実施形態１における情報配信システムの概要を示す図である。
【図２】図１に示した放送局の構成を示すブロック図である。
【図３】図１に示した放送局管理サーバの構成を示すブロック図である。
【図４】図３の位置情報変換ＤＢの構成例を示す図であり、（Ａ）は固定受信装置用、（Ｂ）は移動型受信装置用の情報の例である。
【図５】図３の全放送局情報ＤＢを構成するテーブルの例を示す図であり、（Ａ）は放送局管理テーブル、（Ｂ）は視聴エリア管理テーブルの例を示す。
【図６】図３のチューナＩＣ情報ＤＢの構成例を示す図である。
【図７】図１に示した放送局ポータルサーバの構成を示すブロック図である。
【図８】図７の放送局情報ＤＢを構成するテーブル例を示す図であり、（Ａ）は、配信可能局テーブルの例、（Ｂ）は配信可能局視聴エリア管理テーブルの例、（Ｃ）はエリア区分テーブルの例を示す。
【図９】図１に示した移動型受信装置の内部構成を示すブロック図である。
【図１０】図１の情報配信システムのコンテンツ配信の手順を示すフローチャートである。
【図１１】緯度経度変換処理及び地域特定処理のフローチャートである。
【図１２】郵便番号と緯度経度との関係を説明するための図である。
【図１３】移動型受信装置の選局処理の流れを示すフローチャートである。
【図１４】移動監視処理のフローチャートである。
【図１５】移動監視範囲を説明するための図である。
【図１６】実施形態１における移動型受信装置と放送局ポータルサーバとの間で実行されるコンテンツ配信処理のフローチャートである。
【図１７】実施形態２における移動型受信装置と放送局ポータルサーバとの間で実行されるコンテンツ配信処理のフローチャートである。
【図１８】実施形態３における移動型受信装置と放送局ポータルサーバとの間で実行されるコンテンツ配信処理のフローチャートである。
【図１９】実施形態４における移動型受信装置と放送局ポータルサーバとの間で実行されるコンテンツ配信処理のフローチャートである。
【発明を実施するための形態】
【００２４】
以下、本発明の実施形態１乃至実施形態４における情報配信システム及び情報配信方法について、図面を参照して説明する。
【００２５】
（実施形態１）
１．情報配信システムの概要
実施形態１に係る情報配信システム１は、図１に示すように、放送局２、放送局管理サーバ３、放送局ポータルサーバ４、固定（据置き）型受信装置５Ａ、移動型受信装置５Ｂ、及び通信網１０、から構成される。なお、以下、固定型受信装置５Ａと移動型受信装置５Ｂを総称して受信装置５と呼ぶ。
【００２６】
放送局（放送システム）２は、複数の放送情報（以下、「コンテンツ」と称する）を担う放送波（例えば、地上波デジタル放送の電波、ＦＭラジオ放送の電波、ＡＭラジオ放送の電波）をアンテナ２ａから送信する装置である。放送局２は、ケーブル等の通信回線又は無線通信回線によって通信網１０に接続されている。放送局２の詳細は後述する。
【００２７】
放送局管理サーバ３は、受信装置５からの問い合わせに応じて、受信対象の放送局２に対応する放送局ポータルサーバ４の接続情報（ＵＲＬ等）を提供する。
【００２８】
放送局ポータルサーバ４は、受信装置５からのコンテンツ配信の要求に応答して、受信装置５が、そのコンテンツの視聴を許可されているか否かを、地理的条件に基づいて判別し、許可されていると判別した場合に、要求されたコンテンツを、通信網１０経由で、受信装置５Ａ又は５Ｂに配信（送信）する。
ここで、放送局ポータルサーバ４から配信されるコンテンツは、例えば、ｉ）放送局２が電波放送するコンテンツと同一のコンテンツ、ii）放送局２が電波放送するコンテンツに関連するコンテンツ、iii）放送局２が電波放送するコンテンツとは直接の関係が無い独自のコンテンツ、等である。
また、地理的条件とは、例えば、ｉ）受信装置５が、放送局２の放送電波を受信できるエリア内にいること、ii)受信装置５が、特定の国、或いは、都道府県に位置していること、等である。
【００２９】
放送局ポータルサーバ４は、複数の放送局のコンテンツ、これらのコンテンツに関連するコンテンツを配信することも可能である。
【００３０】
固定型受信装置５Ａは、放送局２のアンテナ２ａから送信される放送波を受信して、所望のコンテンツを取得する。また、固定型受信装置５Ａは、光ファイバケーブル等の汎用の通信回線によって通信網１０に接続され、通信網１０経由で放送局ポータルサーバ４から所望のコンテンツを取得する。
【００３１】
一方、移動型受信装置５Ｂは、携帯電話やカーナビゲーション等の可搬型の受信装置である。移動型受信装置５Ｂは、放送局２のアンテナ２ａから送信される放送波をアンテナ５ｂを介して受信して、所望のコンテンツを取得する。また、移動型受信装置５Ｂは、アンテナ５ｂ、無線ＬＡＮ等の無線通信回線を介して通信網１０上の基地局１０ａに接続されている。移動型受信装置５Ｂは、無線ＬＡＮ等の通信回線、基地局１０ａを介して、通信網１０経由で放送局ポータルサーバ４から所望のコンテンツを受信する。
【００３２】
通信網１０は、例えば、ＴＣＰ／ＩＰ[登録商標]（Transmission Control Protocol/Internet Protocol）等の通信プロトコルを利用したインターネット、ＣＡＴＶ（Common Antenna TeleVision）、専用線、ＶＰＮ（Virtual Private Network）、ＷＡＮ（Wide local Area Network）、移動体通信網等のいずれか、又はこれらの組合せによる通信網で構成される。通信網１０上には、移動型受信装置５Ｂとの間で無線通信回線を構成する基地局１０ａが配置されている。
【００３３】
２．放送局２の詳細
次に、放送局２の構成について説明する。
放送局（放送システム）２は、自己に割り当てられた所定周波数の電波を介して、地上波デジタル放送やＦＭラジオ放送等のコンテンツを配信する装置である。放送局２は、図２に示すように、コンテンツストリーム作成部２１、ＥＰＧ（Electronic Program Guide）情報作成部２２（地上波デジタル放送の場合）、データ放送作成部２３、ＭＵＸ（MUltipleXer）部２４、放送用コンテンツＤＢ（Data Base）２５、放送用スケジュールＤＢ２６、及びデータ放送コンテンツＤＢ２７を有する。
【００３４】
コンテンツストリーム作成部２１、ＥＰＧ情報作成部２２、データ放送作成部２３、及びＭＵＸ部２４は、ハードウェア又はソフトウェアの構成要素として制御部２８に含まれている。制御部２８は、ＣＰＵ（Central Processing Unit）、プログラムメモリ、ワークメモリ等で構成され、プログラムメモリにインストールされているプログラムを実行することにより、コンテンツストリーム作成部２１、ＥＰＧ情報作成部２２、データ放送作成部２３、及びＭＵＸ部２４として機能する。
【００３５】
放送用コンテンツＤＢ２５、放送用スケジュールＤＢ２６、及びデータ放送コンテンツＤＢ２７は、記憶部２９の記憶エリアによって構成されている。記憶部２９は、ＨＤD（Hard Disk Drive）やフラッシュメモリ等の不揮発性メモリで構成されている。放送用コンテンツＤＢ２５は、映像データ及び音声データ等を含む地上波デジタル放送の放送用コンテンツの元になる情報を記憶している。放送用スケジュールＤＢ２６は、年月日及び時刻に対応する電波放送の番組のスケジュールデータを記憶している。データ放送コンテンツＤＢ２７は、データ放送のコンテンツを複数記憶している。
【００３６】
コンテンツストリーム作成部２１は、放送用コンテンツＤＢ２５を参照して、電波放送用コンテンツを作成する。本実施形態においては、コンテンツストリーム作成部２１は、ＭＰＥＧ２（Moving Picture Experts Group 2）規格に準拠して、放送用コンテンツを、符号化及び多重化し、コンテンツの映像データ、音声データ等を符号化したＥＳ（Elementary Stream）を生成する。そして、コンテンツストリーム作成部２１は、生成したＥＳを、意味のある単位ごとにパケット化して、ＰＥＳ（Packetized Elementary Stream）を生成する。更に、コンテンツストリーム作成部２１は、生成したＰＥＳを分割し、ＴＳ（Transport Stream）パケットを生成する。
【００３７】
コンテンツストリーム作成部２１は、各ＴＳパケットのヘッダに、ＰＩＤ（Packet IDentification）と称する１３ビットのパケット識別子を付与する。ＰＩＤには、各ＴＳパケットのデータが、放送用コンテンツのうち映像データ、音声データ、制御データ、及びその他のデータのいずれであるかを識別するための制御データを含める。
【００３８】
この制御データは、ＳＩ／ＰＳＩ（Service Information/Program Specific Information）と称される。ＳＩ／ＰＳＩのＳＩは、ＥＰＧ情報を作成するために必要な情報を含む制御データである。また、ＳＩ／ＰＳＩのＰＳＩは、基本的な制御をするための情報を含む制御データである。
【００３９】
さらに、コンテンツストリーム作成部２１は、不正視聴を防止するために、暗号化処理（これを「スクランブル処理」と称する）をＴＳに施す。スクランブル処理の方式として、例えば、Multi ２が採用される。Multi ２は、デジタルデータを暗号化するアルゴリズムであり、ＢＳ（Broadcasting Satellite）デジタル放送や地上波デジタル放送などに広く採用されている既知のスクランブル方式である。
【００４０】
ＥＰＧ情報作成部２２は、放送用スケジュールＤＢ２６を参照して、年月日及び時刻に対応する放送番組表のデータを作成する。
【００４１】
データ放送作成部２３は、データ放送コンテンツＤＢ２７を参照して、例えば、天気予報や番組に関連した情報等のデータ放送コンテンツを作成する。また、これらの情報以外にも、データ放送作成部２３は、インターネット上のアクセス情報として、放送用ポータルサーバ４が提供するＵＲＬ（Uniform Resource Locator）情報、及び、サーバを介さずに直接通信する方式であるＰ２Ｐ（Peer to Peer）を利用する検索クエリ情報を作成する。
【００４２】
コンテンツストリーム作成部２１で作成された放送コンテンツ、ＥＰＧ情報作成部２２で作成されたＥＰＧ情報、及びデータ放送作成部２３で作成されたデータ放送番組コンテンツのデータは、ＭＵＸ部２４に入力される。ＭＵＸ部２４は、これらのデータを多重化して放送データＤを生成する。多重化された放送データＤは、放送局２のアンテナ２ａからの放送波により放送される。また、ＩＰ配信対象の放送データＤは放送用ポータルサーバ４にも、例えば、通信網１０を経由して、送信される。
【００４３】
３．放送局管理サーバ３の詳細
次に、図１に示した放送局管理サーバ３について説明する。放送局管理サーバ３は、図３に示すように、機器認証部３１、地域特定処理部３２、ポータルサーバ特定部３３、通信制御部３４、位置情報変換ＤＢ３５、全放送局情報ＤＢ３６、及びチューナＩＣ（Integrated Circuit）情報ＤＢ３７を有する。
【００４４】
機器認証部３１、地域特定処理部３２、ポータルサーバ特定部３３、及び通信制御部３４は、ハードウェア又はソフトウェアの構成要素として制御部３８に含まれている。制御部３８は、ＣＰＵ、プログラムメモリ、ワークメモリ等で構成され、プログラムメモリにインストールされているプログラムに従って、放送局管理サーバ３の全体又は一部を制御する。
【００４５】
位置情報変換ＤＢ３５、全放送局情報ＤＢ３６、及びチューナＩＣ情報ＤＢ３７は、記憶部３９の記憶エリアによって構成されている。記憶部３９は、ＨＤDやフラッシュメモリ等の不揮発性メモリで構成されている。
【００４６】
機器認証部３１は、専用のプログラムやハードウェアデバイス等で構成され、受信装置５が情報配信システム１において正当に登録されている機器であるか否かを認証する。本実施形態の情報配信システム１においては、例えば、認証のために１回だけ使用できる「使い捨てパスワード」であるワンタイムパスワードと同様のタイムスタンプ方式、又はチャレンジレスポンス方式等により、ワンタイムデバイスＩＤとして予め発行できる共通の仕組みを受信装置５及び機器認証部３１にそれぞれ構築する。機器認証部３１は、ワンタイムデバイスＩＤの照合に基づいて受信装置５を認証する。
【００４７】
地域特定処理部３２は、専用のプログラムやハードウェアデバイス等で構成され、固定型受信装置５Ａが設置されている地域を特定する。しかし、移動型受信装置５Ｂの場合には、固定した地域に設置されていないので、移動型受信装置５Ｂからの配信要求があるごとに、適宜その現在位置の地域を特定する。固定型受信装置５Ａ及び移動型受信装置５Ｂについての地域特定処理については後述する。
【００４８】
ポータルサーバ特定部３３は、専用のプログラムやハードウェアデバイス等で構成され、受信装置５から受信した配信要求に係る放送の周波数情報から、その周波数情報の放送局２に対応する放送局ポータルサーバ４を特定する。そして、ポータルサーバ特定部３３は、特定した放送局ポータルサーバ４の接続情報を受信装置５に送信する。
【００４９】
通信制御部３４は、通信網１０経由で、受信装置５、放送局ポータルサーバ４及びその他の外部機器との間の通信を制御する通信インタフェースである。
【００５０】
位置情報変換ＤＢ３５は、ＩＰ（Internet Protocol）アドレス、郵便番号、住所等の位置情報から固定型受信装置５Ａの位置を特定するための情報を記憶するデータベースである。位置情報変換ＤＢ３５は、固定型受信装置５Ａ用に、例えば、図４（Ａ）に示すように、「ＩＰアドレス」、「都道府県コード」、「市区町村コード」、「郵便番号」、「都道府県名」、「市区町村名」、「町域名」を記憶している。
【００５１】
ここで、「ＩＰアドレス」は、ＴＣＰ／ＩＰの通信プロトコルに準拠した通信を行う場合に、送信元及び受信先としての固定型受信装置５Ａを特定するために割り振られているアドレスである。また、「都道府県コード」は、固定型受信装置５Ａの設置位置の都道府県を一義的に識別するコードである。「市区町村コード」は都道府県コードとの組合せによって設置位置の市町村を特定するコード、「郵便番号」は設置位置の郵便番号、「都道府県名」は設置位置の都道府県名、「市区町村名」は設置位置の市町村名、「町域名」は、設置位置の町域名示す。
固定型受信装置５Ａの場合、図４（Ａ）に示すように、ＩＰアドレスとそのＩＰアドレスが割り当てられた固定型受信装置５Ａの設置場所の情報とを予め対応付けておくことによって、都道府県コード、市区町村コード、郵便番号、都道府県名、市区町村名、町域名等（これらを「地域情報」という）が一義的に特定される。なお、図４に示すＩＰアドレス単位で地域を特定する方法以外に、ネットワークアドレス単位等の所定の範囲ごとに地域を特定するデータベースを記憶する構成でもよい。
なお、移動型受信装置５Ｂの場合には、移動するため、ＩＰアドレスによって都道府県コード等の地域を特定することはできないので、GPS等から取得した緯度経度を基に地域を特定する。そこで、位置情報変換ＤＢ３５は、移動型受信装置５Ｂ用に、例えば、図４（Ｂ）に示すように、任意野市の「緯度」と「経度」の組と、その位置が属す地域に割り当てられた郵便番号とを対応付けて記憶している。地域情報を特定する具体的な方法については、後述する。
【００５２】
図３に示す全放送局情報ＤＢ３６は、情報配信システム１に収容されている全ての放送局２に関するデータを記憶するデータベースである。例えば、放送局２がＦＭラジオ放送局の場合には、全放送局情報ＤＢ３６は、図５に示すように、図５（Ａ）に例示する放送局管理テーブルと図５（Ｂ）に例示する視聴エリア管理テーブルを格納する。
【００５３】
図５（Ａ）の放送局管理テーブルには、「放送局ＩＤ」、「放送局名」、「コールサイン」、「放送局ポータルサーバＵＲＬ」が記憶されている。「放送局ＩＤ」は、情報配信システム１内において、放送局２の放送波の周波数によって放送局ポータルサーバ４を一義的に識別するコードを含む。「放送局名」は、放送局ポータルサーバ４を特定する放送局名を含むが含まれている。コールサインのデータには、国際電気通信条約に基づいて発行されている放送局ポータルサーバ４の識別番号が含まれている。放送局ポータルサーバＵＲＬのデータには、放送局ポータルサーバ４のＵＲＬが含まれている。したがって、放送局ＩＤを参照することによって、すなわち放送局ＩＤを外部キーとして、その放送局ＩＤに関連付けられている放送局名、コールサイン、放送局ポータルサーバ４のＵＲＬを一意に決定することができる。
【００５４】
図５（Ｂ）の視聴エリア管理テーブルには、「都道府県コード」、「市区町村コード」、「郵便番号」、「周波数」、「放送局ＩＤ」が記憶されている。「都道府県コード」は、都道府県を一義的に識別できるコードを含む。「市区町村コード」は、都道府県コードとの組合せによって市区町村を一義的に識別できるコードを含む。「郵便番号」は、都道府県コード及び市区町村コードによって一義的に決定される郵便番号である。「周波数」は、都道府県コード及び市区町村コードによって一義的に決定される地域において受信可能な放送波の周波数を含む。「放送局ＩＤ」は、情報配信システム１内において、放送局２の周波数によって放送局ポータルサーバ４を一義的に識別するコードを含む。
【００５５】
図５（Ａ）のテーブルと図５（Ｂ）のテーブルとは、放送局ＩＤによって関連付けがなされている。
【００５６】
図３のチューナＩＣ情報ＤＢ３７は、情報配信システム１において使用されている受信装置５のチューナを特定するための情報を記憶する。この情報は、図６に示すように、「チューナ情報」、「受信装置メーカコード」、「受信装置型番」、「チューナ製造メーカ名」、「チューナ型番」、「チューナファームバージョン」、「受信レベル算出用計数」等を含む。
【００５７】
「チューナ情報」は、受信装置５のチューナを識別する識別情報を含む。「受信装置メーカコード」は、受信装置５の製造メーカを識別する識別情報を含む。「受信装置型番」は、受信装置５の型番を識別する識別情報を含む。「チューナ製造メーカ名」は、チューナの製造メーカを識別する識別情報を含む。「チューナ型番」は、チューナの型番を識別する識別情報を含む。「チューナファームバージョン」は、受信装置５のチューナについてのファームウェアのバージョン情報を含む。「受信レベル算出用計数」は、チューナに関する各種パラメータの特性に応じて算出される受信レベルの変換計数を含む。
【００５８】
したがって、チューナ情報を特定すれば、チューナＩＣ情報ＤＢ３７を参照して、受信装置メーカコード、受信装置型番、チューナ製造メーカ名、チューナ型番、チューナファームバージョン、及び受信レベル算出用計数を一意に特定することができる。
【００５９】
４．放送局ポータルサーバ４の詳細
次に、図１の放送局ポータルサーバ４について説明する。放送局ポータルサーバ４は、図７に示すように、配信可否判別部４１、コンテンツ生成部４２、通信制御部４３、放送局情報ＤＢ４４、コンテンツＤＢ４５、チューナＩＣ情報ＤＢ４６を有する。
【００６０】
配信可否判別部４１、コンテンツ生成部４２、通信制御部４３は、ハードウェア又はソフトウェアの構成要素として制御部４７に含まれている。制御部４７は、ＣＰＵ、プログラムメモリ、ワークメモリ等で構成され、プログラムメモリにインストールされているプログラムに従って、放送局ポータルサーバ４の全体又は一部を制御する。
【００６１】
放送局情報ＤＢ４４、コンテンツＤＢ４５、チューナＩＣ情報ＤＢ４６は、記憶部４８の記憶エリアによって構成されている。記憶部４８は、ＨＤDやフラッシュメモリ等の不揮発性メモリで構成されている。
【００６２】
配信可否判別部４１は、専用のプログラム又はハードウェアデバイス等によって構成され、任意の受信装置５からコンテンツ配信要求があったときは、放送局情報ＤＢ４４等を参照して、通信網１０を経由したコンテンツ配信を許可するか否かの判別を行う。配信可否判別部４１は、通信網１０を経由したコンテンツ配信ができないと判別したときは、その判別結果を受信装置５に対して送信する。配信可否判別部４１は、通信網１０を経由したコンテンツ配信ができると判別したときは、その判別結果を受信装置５に対して送信すると共に、受信装置５からのコンテンツ配信要求に応じたコンテンツの作成をコンテンツ作成部４２に指示する。
【００６３】
コンテンツ生成部４２は、配信可否判別部４１からコンテンツ作成の指示を受けたときは、コンテンツＤＢ４５を参照して、コンテンツ配信要求を行った受信装置５に対して送信すべきコンテンツを作成する。この場合において、コンテンツ生成部４２は、コンテンツ配信要求に対応するコンテンツを作成すると共に、そのコンテンツに連動する番組連動型のコンテンツを作成してもよい。
【００６４】
通信制御部４３は、通信網１０を介して受信装置５からのコンテンツ配信要求を受信して配信可否判別部４１に送り、コンテンツ生成部４２によって生成されたコンテンツを受信装置５に対して送信する通信インタフェースである。
【００６５】
放送局情報ＤＢ４４は、放送局２に関する情報が記憶されているデータベースである。放送局情報ＤＢ４４のデータベースの情報としては、放送局２の周波数、エリア区分、そのエリア区分における受信レベル条件、放送局ポータルサーバ４が通信網１０において提供可能な視聴エリアとなる位置情報その他が含まれている。
【００６６】
放送局情報ＤＢ４４のデータベースは、図８（Ａ）〜図８（Ｃ）に示す配信可能局テーブル、配信可能局視聴エリア管理テーブル、エリア区分テーブルを格納する。
【００６７】
図８（Ａ）の配信可能局テーブルには、放送局ポータルサーバ４からコンテンツ配信が可能な放送局２の放送局情報（「放送局ＩＤ」、「放送局名」、「コールサイン」、「放送局ポータルサーバＵＲＬ」）が格納されている。すなわち、図８（Ａ）に示す配信可能局テーブルは、図５（Ａ）に示した放送局管理サーバ３の全放送局情報ＤＢ３６に記憶されているデータベースのテーブルの中で、コンテンツ配信が可能な放送局の情報を選択的に格納している。例えば、図５（Ａ）では、放送局ＩＤが「０ｘ１００」、「０ｘ２０００」．．．の放送局２の放送局情報が登録されている。ここで、放送局ＩＤが「０ｘ１００」の放送局２のコンテンツ配信のみが可能であれば、図８（Ａ）に示すように、放送局ＩＤ「０ｘ１００」の放送局情報のみが記憶され、コンテンツ配信が可能でない放送局ＩＤ「０ｘ２００」．．．の放送局情報は記憶されていない。
【００６８】
一方、図８（Ｂ）の配信可能局視聴エリアテーブルには、放送局ポータルサーバ４からコンテンツ配信が可能な放送局２について、その放送局２の放送が聴取可能なエリアの「都道府県コード」、「市区町村コード」、「郵便番号」、「周波数」、「エリア区分」、「放送局ＩＤ」が含まれている。すなわち、図８（Ｂ）に示すデータベースは、図５（Ｂ）に示した放送局管理サーバ３の全放送局情報ＤＢ３６に記憶されている視聴エリアテーブルの中で、コンテンツ配信が可能な放送局２の情報、「エリア区分」と共に格納されている。
【００６９】
例えば、図５（Ｂ）では、放送局ＩＤが「０ｘ１００」、「０ｘ２０００」．．．の放送局２の情報が登録されている。ここで、放送局ＩＤが「０ｘ１００」の放送局２のコンテンツ配信のみが可能であれば、図８（Ｂ）に示すように、放送局ＩＤ「０ｘ１００」の情報のみがエリア区分と共に記憶され、コンテンツ配信ができない放送局２の放送局ＩＤ「０ｘ２００」．．．の情報は記憶されていない。図８（Ａ）のテーブル及び図８（Ｂ）のテーブルは、放送局ＩＤを外部キーとして関連付けがなされている。
【００７０】
エリア区分は、放送局２の周波数の受信状況を判別するためのフラグ（１、０）による１ビットの情報で構成されている。フラグの値が「０」の場合には、受信可能エリア（受信状態が良い地域と推定される放送免許地域）を示している。一方、フラグの値が「１」の場合には、フリンジエリア（受信状態が悪い地域と推定される放送免許地域以外の地域、これを「難聴取地域」という）を示している。ただし、フリンジエリアに位置する受信装置５であっても、その受信装置５の受信性能、特にチューナの受信性能によってはＦＭラジオ放送の放送波を受信することは可能である。後述するように、本実施形態においては、この難聴取地域でも可能な限り情報配信サービスを行うような構成になっている。
【００７１】
図８（Ｃ）のエリア区分テーブルは、「エリア区分」と「受信レベル条件」を含む。受信レベル条件には、放送局２から受信するために必要な受信レベル条件の数値（単位は「ｍＶ／ｍ」）が記憶されている。エリア区分は、図８（Ｂ）のテーブルと図８（Ｃ）のテーブルとは、エリア区分を外部キーとして関連付けがなされている。
【００７２】
したがって、放送局情報ＤＢ４４を参照することにより、図８（Ｂ）の配信可能局エリア管理テーブルで郵便番号（他の地域情報も同様）及び周波数が特定されたときは、放送局ＩＤを特定することができる。放送局ＩＤ（外部キー）を特定することで、図８（Ａ）の配信可能放送局テーブルから放送局ポータルサーバＵＲＬを特定することができる。更に、図８（Ｂ）の配信可能局エリア管理テーブルで郵便番号及び周波数が特定されたときは、エリア区分（外部キー）によって、図８（Ｃ）のエリア区分テーブルから受信レベル条件を取得することができる。
【００７３】
図７のコンテンツＤＢ４５は、種々のコンテンツが記憶されるデータベースである。コンテンツＤＢ４５に記憶されるコンテンツには、受信装置５の配信要求に応じたコンテンツの他に、放送局２が放送する番組に連動しているもの、放送終了後にも接続可能なコンテンツ、受信するエリアが限定されないコンテンツ等がある。例えば、具体的なコンテンツの種類としては、静止画、動画、音声等がある。
【００７４】
なお、これらのコンテンツの情報は、例えば、ＸＭＬ（eXtensible Markup Language）やＢＭＬ（Broadcast Markup Language）等のマークアップ言語で記述されている。なお、放送局２からコンテンツストリーム形式のデータを、そのままコンテンツＤＢ４５に記憶して、受信装置５に配信する構成にしてもよい。
【００７５】
図７のチューナＩＣ情報ＤＢ４６は、情報配信システム１において使用される受信装置５の機器情報を記憶するデータベースである。チューナＩＣ情報ＤＢ４６を構成するテーブルは、「チューナ情報」、「受信装置メーカコード」、「受信装置型番」、「チューナ製造メーカ名」、「チューナ型番」、「チューナファームバージョン」、「受信レベル算出用計数」等のチューナに関する情報を含む。すなわち、チューナＩＣ情報ＤＢ４６の構成は、図６に示した放送局管理サーバ３のチューナＩＣ情報ＤＢ３７の構成と同じである。
【００７６】
放送局ポータルサーバ４が、後述する受信可否判別処理を実行する場合には、チューナＩＣ情報ＤＢ４６に記憶されている受信レベル算出用計数を用いることが好ましい。受信装置５の製造メーカ、受信装置５に組み込まれたチューナＩＣの種類によって性能が異なるからである。更に、受信装置５にチューナＩＣを組み込んだ際のノイズの影響などにより、同一の放送局２からの放送波を受信する受信感度が、製造ラインや製品ごとに異なるからである。更にまた、移動型受信装置５Ｂの場合には、受信する位置によって同一の放送局２からの放送波に対する受信感度が異なるからである。
【００７７】
このため、受信装置５、特に移動型受信装置５Ｂの種類ごとの受信可否判別において、受信感度の基準値（閾値）と一律に比較することができる受信感度を算出するための、チューナに関するＲＳＳＩ（Received Signal to Noise Strength Identification）やＳ／Ｎ比（Signal to Noise ratio）などの各種パラメータから算出される変換計数を用いることによって、適切な受信可否判別を実行することができる。
【００７８】
５．移動型受信装置５Ｂの詳細
次に、移動型受信装置５Ｂの構成について図９を参照して説明する。なお、図９では、移動型受信装置５Ｂには、表示装置６と音声再生装置７とが接続されているが、実施形態の変形例として、移動型受信装置５Ｂの内部に表示装置６及び音声再生装置７が組み込まれた構成でもよい。
【００７９】
移動型受信装置５Ｂは、放送局２からの地上波デジタル放送又はＦＭラジオ放送等の放送波の１つを受信して、表示装置６及び音声再生装置７に出力する。また、移動型受信装置５Ｂは、通信網１０経由で放送局ポータルサーバ４から配信されるコンテンツを受信して、表示装置６及び音声再生装置７に出力する。
【００８０】
移動型受信装置５Ｂは、図９に示すように、制御部５０、操作入力部５１、チューナ部５２、ＤＥＭＵＸ（DEMUltipleXer）部５３、位置検出部５４、ネットワーク接続部５５、デコード部５６、映像／音声出力部５７、受信状況検出部５８、登録情報記憶部５９を有する。
【００８１】
制御部５０は、システムバスを介して上記他の構成要素との間で指令及びデータを授受する。制御部５０はまた、ワークメモリ５０ｍ、及び図示しないＣＰＵ、プログラムメモリ、その他で構成され、プログラムメモリにインストールされているプログラムに従って、移動型受信装置５Ｂの全体又は一部を制御する。
【００８２】
操作入力部５１は、受信モード指示、チャンネルの選局指示等のユーザの操作指令を受け付けて制御部５０に入力する。受信モードには、放送局２から放送波を直接受信する放送波受信モード及び通信網１０を経由して受信するＩＰ受信モードがある。操作入力部５１は、キーボード、赤外線を入力するリモートコントローラ、タッチパネル等で構成されるが、ユーザの音声による操作指令を入力できる音声入力機器、ユーザのジェスチャの映像による操作指令を撮像できる電子カメラ機器で構成されてもよい。
【００８３】
制御部５０は、操作入力部５１から放送波受信モード又はＩＰ受信モードの受信モード指示及びチャンネルの選局指示が入力されたときは、チューナ部５２に対してチューニング指示または受信指示を与える。なお、移動型受信装置５Ｂと放送局管理サーバ３との間で通信が確立したときに、自動的にチューナ部５２に対してチューニング指示または受信指示を与える構成にしてもよい。
制御部５０は、操作入力部５１からＩＰ受信モードの受信モード指示及びチャンネルの選局指示が入力されたときは、位置検出部５４及びネットワーク接続部５５に対して受信開始指令を与える。受信開始指令の内容については後述する。
【００８４】
チューナ部５２は、放送局２から地上波デジタル放送やＦＭ放送等のＲＦ（Radio Frequency）信号をアンテナ５ａで受信して、制御部５０からのチューニング指示に対応する周波数のＲＦ信号を選択する。次に、チューナ部５２は、選択したＲＦ信号を復調し、誤り訂正処理等の信号処理を行って、例えば、地上波デジタル放送の場合には、ＴＳパケットからなるＴＳ信号を制御部５０の指示に従ってＤＥＭＵＸ５３に入力する。なお、チューナ部５２は、上記したように、地上波デジタル放送又はＦＭラジオ放送等の放送波の１つを受信する構成にしたが、ＢＳ放送、ＣＳ（Communication Satellite）放送、地上波アナログ放送、ＡＭラジオ放送をそれぞれ受信可能な構成になっている。
【００８５】
位置検出部５４は、図示しないＧＰＳ衛星からのＧＰＳ信号を適宜受信して、移動型受信装置５Ｂの現在位置を表す緯度経度を取得する。位置検出部５４がＧＰＳ信号を受信するタイミングは、一定期間ごとに又は特定の事象を起因に依存する。特定の事象とは、例えば、放送波の受信レベルの低下がある。位置検出部５４は、制御部５０から受信開始指令を受けたときは、取得した緯度経度を制御部５０に入力する。制御部５０は、その緯度経度をネットワーク接続部５５に供給する。
【００８６】
ネットワーク接続部５５は、緯度経度を放送局管理サーバ３に送信する。ネットワーク接続部５５は、送信した緯度経度に対応する地域情報（郵便番号、都道府県コード、その他、図４に示した地域情報）を放送局管理サーバ３から受信して制御部５０に入力する。
【００８７】
ＤＥＭＵＸ５３は、例えば、チューナ部５２から供給された地上波デジタル放送のＴＳ信号、すなわち、図２に示した放送局２のＭＵＸ部２４で多重化されたＴＳ信号を、映像や音声等の複数のストリームデータとＳＩ／ＰＳＩ等のセクション形式のデータとに分離する処理を行う。ＤＥＭＵＸ５３は、分離したデータを制御部５０の指示に従ってデコード部５６に供給する。なお、地上波デジタル放送以外のＦＭラジオ放送の場合も、そのコンテンツに対応した所定の信号処理を行う。
【００８８】
デコード部５６は、映像及び音声のストリームデータ、ＥＰＧ情報、及びデータ放送のコンテンツをデコード（復号化）して、映像データ、音声データ、番組データ、文字データを生成する。デコード部５６は、その生成したデータをＲＡＭ等の記憶部（図示せず）に一時的に記憶した後、映像データ、番組データ（ＥＰＧ情報）及び文字データを合成した合成データと音声データとを映像／音声出力部５７に供給する。
【００８９】
映像／音声出力部５７は、供給された映像データ、番組データ、文字データの合成データを表示装置６に出力し、音声データを音声再生装置７に出力する。なお、デコード部５６は、記憶部にデータを記憶して合成することなく、映像データ、番組データ及び文字データを映像／音声出力部５７から表示装置６等に出力させるようにしてもよい。
【００９０】
受信状況検出部５８は、制御部５０からの受信状況検出指示に従って、チューナ部５２によって受信されたＲＦ信号の電界受信強度を検出する。このため、受信状況検出部５８は、ＲＳＳＩ回路やＳ（Signal）メータ回路等を備えている。その他、受信状況検出部５８は、Ｓ／Ｎ比やマルチパス情報を検出する機能を有する構成にしてもよい。
【００９１】
登録情報記憶部５９は、ユーザ登録情報、移動型受信装置５Ｂの機器情報、放送局情報を記憶している。ユーザ登録情報には、有料放送の受信許可を示すユーザＩＤ、パスワード等がある。移動型受信装置５Ｂの機器情報には、例えば、図４に示したＩＰアドレス、及び、図６に示したＦＭラジオ受信用の情報である受信装置メーカコード、受信装置型番、チューナ製造メーカ名、チューナ型番、チューナファームバージョン、受信レベル算出用計数等がある。放送局情報には、図５に示した放送局ＩＤ、放送局名、コールサイン、放送局ポータルサーバＵＲＬ等がある。
【００９２】
移動型受信装置５Ｂはさらに、図２に示した放送データＤに不正視聴を防止するためのスクランブル処理がなされている場合には、ユーザ登録情報を解除キーとして、そのスクランブルを解除するデスクランブラ部を有する構成にしてもよい。デスクランブラ部は、制御部５０のスクランブル解除指示に従って、スクランブル処理されたＴＳ信号を通常のＴＳ信号に変換する。デスクランブラ部は、その変換したＴＳ信号をＤＥＭＵＸ５３に供給する。
【００９３】
（動作）
次に、実施形態１における情報配信システム１の情報配信動作について、ＦＭラジオ放送を携帯電話機やカーナビゲーション等の移動型受信装置５Ｂで受信する場合を例に採って説明する。なお、地上波デジタル放送その他の放送を受信する場合であっても、後述する監視距離のスケールが異なるだけで、基本的な情報配信方法は同じである。
【００９４】
情報配信システム１において、放送局ポータルサーバ４から通信網１０を介して放送局２が提供するコンテンツを受信する場合、その受信可能エリアは、放送局２の放送エリアに限定される。一方、移動型受信装置５Ｂは、任意のエリアに移動する。このため、情報配信システム１において、放送局ポータルサイトからコンテンツを受信する場合には、受信装置５の位置を特定し、視聴対象の放送局２を選択し、受信装置５の位置が選択した放送局２の放送エリア内か否かを判別し、放送エリア内ならば、コンテンツの配信・再生を可能とする、という手順を取る。
以下の説明においては、理解を容易にするため、これら一連の処理を、６．地域特性処理、７．選曲処理、９．情報配信処理として、場面を分けて説明する。
移動型受信装置５Ｂは、コンテンツ配信開始後も、その位置が変化し、放送エリア外に移動する可能性がある。そこで、コンテンツの配信・再生開始後も、移動型受信装置５Ｂが放送エリア内に位置しているか否かを適宜チェックする。以下、この動作を、８．移動監視処理において説明する。
【００９５】
６．地域特定処理
図１０は、情報配信システム１の情報配信方法を示すフローチャートである。
移動型受信装置５Ｂは、電源が投入されるとまたは通信網１０を介したコンテンツの取得指示がされると、緯度経度変換処理を含む地域特定処理を実行する（ステップＳ１０１）。図１１は、この緯度経度変換処理及び地域特定処理において、移動型受信装置５Ｂの制御部５０は、受信開始時及び受信開始後の適時に、位置検出部５４から取得した緯度経度を制御部５０のワークメモリ５０ｍに保持すると共に、取得した緯度経度情報をネットワーク接続部５５を介して放送局管理サーバ３に送信する（ステップＳ２０１）。
【００９６】
放送局管理サーバ３の制御部３８は、受信した緯度経度を地域情報の１つである郵便番号に変換する（ステップＳ２０２）。図１２は、郵便番号と緯度経度との関係を示す図である。図１２（Ａ）は、図４（Ｂ）と同一の図であり、放送局管理サーバ３の位置情報変換ＤＢ３５に記憶されているテーブルの一部を示す図である。例えば、図１２（Ｂ）に示すように、受信した緯度が「３５．６７０８９４」、経度が「１３９．７７５３５６」の場合には、その緯度経度に最も近い郵便番号は「１０４００６１」である。あるいは、図１２（Ｃ）に示すように、受信した緯度が「３５．６７０８９５」、経度が「１３９．７７５３５７」の場合には、その緯度経度に最も近い郵便番号は「１０４００５２」である。
【００９７】
制御部３８は、受信した緯度経度に対応する郵便番号を移動型受信装置５Ｂに送信する（ステップＳ２０３）。もっとも、図１２の場合のように、受信した緯度経度に近接する郵便番号がある場合には、制御部３８は、複数（上記の例では２つ）の郵便番号を移動型受信装置５Ｂに送信するようにしてもよい。
【００９８】
移動型受信装置５Ｂの制御部５０は、放送局管理サーバ３から送信された郵便番号、及び位置検出部５４から得られた移動型受信装置５Ｂの現在位置の緯度経度を基準点としてワークメモリ５０ｍに記憶する（ステップＳ２０４）。
【００９９】
緯度経度を郵便番号に変換するのは、実施形態の一例に過ぎない。放送局管理サーバ３の制御部３８は、受信した緯度経度を都道府県コード、市区町村コード、郵便番号、都道府県名、市区町村名、町域名等の地域情報に変換してもよい。地域情報を識別するものは、郵便番号だけでなく都道府県コード、市区町村コード、郵便番号、都道府県名、市区町村名、町域名等も含まれるので、制御部３８は、移動型受信装置５Ｂから受信した緯度経度を１つ以上の地域情報に変換するように構成される。どの地域情報に変換するかは、情報配信システム１の目的、放送情報の種別、受信地域、受信装置の種別によって適宜設定される。
【０１００】
次に、制御部５０は、ＩＰアドレス、チューナ型番、チューナファームバージョン等の登録情報を放送局管理サーバ３に送信する（ステップＳ２０５）。
【０１０１】
放送局管理サーバ３の制御部３８は、受信した登録情報に含まれる機器種別情報（例えば、受信装置の型番情報など）によって受信装置５Ａ又は５Ｂの機器種別を判別する（ステップＳ２０６）。制御部３８は、判別した機器情報に基づいて、受信装置が移動型受信装置５Ｂであるか、固定型受信装置５Ａであるかを判別する（ステップＳ２０７）。
【０１０２】
受信装置５が固定型受信装置５Ａであると判別したときは（ステップＳ２０７；ＮＯ）、制御部３８は、位置情報の正当性の判別処理を行う（ステップＳ２０８）。この場合には、制御部３８は、固定型受信装置５ＡのＩＰアドレスから位置情報を検索して、正当性の判別を行う。
【０１０３】
一方、受信装置５が移動型受信装置５Ｂであると判別したときは（ステップＳ２０７；ＹＥＳ）、制御部３８は、受信した機器情報のチューナ型番、チューナファームバージョン等に問題がない限り、位置情報の判別結果を「正当性あり」に設定する（ステップＳ２０９）。制御部３８は、その判別結果に「移動監視距離」を付与する（ステップＳ２１０）。移動監視距離については後述する。
【０１０４】
次に、制御部３８は、ステップＳ２０８の処理による判別結果、又は、ステップＳ２１０の処理による判別結果を受信装置５に送信する（ステップＳ２１１）。移動型受信装置５Ｂの場合には、その制御部５０は、判別結果を受信して、そのメッセージを表示装置６に（音声メッセージの場合は音声再生装置７にも）出力する（ステップＳ２１２）。この後は、図１０のフローチャートに戻る。
【０１０５】
図１１において、ステップＳ２０１からステップＳ２０４までの一連の処理は、緯度経度変換処理を構成する。また、ステップＳ２０５からステップＳ２１２までの一連の処理は、地域特定処理を構成する。
【０１０６】
７．選局処理
図１０において、移動型受信装置５Ｂは、地域特定処理で取得した地域において、選局処理を実行する（ステップＳ１０２）。図１３は、移動型受信装置５Ｂの場合の選局処理の流れを示すフローチャートである。いま、通信網１０を経由して若しくは放送局２からの放送波によって、ある周波数の放送情報を受信中に、又は移動型受信装置５Ｂの電源がＯＮにされたときに、操作入力部５１から他の放送情報を受信するためのチューニング指令が入力された状態を想定する。
【０１０７】
移動型受信装置５Ｂの制御部５０は、登録情報記憶部５９の放送局情報から検索した放送局２の周波数と、図１１のステップＳ２０４において記憶した郵便番号を放送局管理サーバ３に送信する（ステップＳ３０１）。この場合において、例えば、受信するコンテンツがラジオ放送であるときは、制御部５０は、ＡＭ又はＦＭのバンド種別情報を同時に送信する。また、記憶した郵便番号に対応する放送局２が複数の場合には、それらの放送局情報が表示装置６の画面に表示される。ユーザは、それぞれの放送局２の周波数の中から視聴を希望する１つの周波数すなわち放送局２を選択する。
【０１０８】
放送局管理サーバ３の制御部３８は、全放送局情報ＤＢ３６を参照して、移動型受信装置５Ｂから受信した郵便番号と周波数に対応する放送局ＩＤが有るか否かを判別する（ステップＳ３０２）。対応する放送局ＩＤが有ると判別したときは（ステップＳ３０２；ＹＥＳ）、制御部３８は、図５（Ｂ）のテーブルを参照して、その放送局ＩＤを取得する（ステップＳ３０３）。例えば、移動型受信装置５Ｂから受信した郵便番号が「１０４００６１」、周波数が「８０（ＭＨｚ）」の場合には、放送局ＩＤ「０ｘ０１００」を取得する。
【０１０９】
次に、制御部３８は、判別結果に「ＯＫ」と、図６（Ｂ）のテーブルの放送局ＩＤを外部キーとして、図５（Ａ）のテーブルから検索した「放送局ポータルサーバＵＲＬ」を設定する（ステップＳ３０４）。
【０１１０】
対応する放送局ＩＤがないと判別したときは（ステップＳ３０２；ＮＯ）、制御部３８は、判別結果に「ＮＧ」を設定する（ステップＳ３０５）。例えば、移動型受信装置５Ｂから受信した郵便番号が「１０４００６１」、周波数が「８４．３（ＭＨｚ）」の場合には、図６（Ｂ）のテーブルを参照しても、対応する放送局ＩＤを取得することができない。この場合には、制御部３８は判別結果に「ＮＧ」を設定する。
【０１１１】
制御部３８は、ステップＳ３０４又はステップＳ３０５において設定した判別結果を移動型受信装置５Ｂに送信する（ステップＳ３０６）。移動型受信装置５Ｂの制御部５０は、放送局管理サーバ３から受信した判別結果が「ＯＫ」であるか又は「ＮＧ」であるかを判別する（ステップＳ３０７）。
【０１１２】
受信した判別結果が「ＯＫ」である場合には（ステップＳ３０７；ＹＥＳ）、制御部５０は、判別結果のＵＲＬが示す放送局ポータルサーバ４に接続する（ステップＳ３０８）。一方、受信した判別結果が「ＮＧ」である場合には（ステップＳ３０７；ＮＯ）、制御部５０は、通信網１０を経由してコンテンツを取得できないので、放送局２からチューナ部５２を介して受信した放送情報を表示装置６及び音声再生装置７に出力する（ステップＳ３０９）。
【０１１３】
８．移動監視処理
図１０において、移動型受信装置５Ｂは、通信網１０を経由したＩＰ配信の視聴が可能か否かを判別する（ステップＳ１０３）。ＩＰ配信の視聴が可能でなく、放送局２の放送波を受信する視聴の場合には（ステップＳ１０３；ＮＯ）、移動型受信装置５Ｂは、このフローチャートを終了して、メインルーチンのフローチャート（図示せず）に戻る。
【０１１４】
一方、ＩＰ配信の視聴が可能な場合には（ステップＳ１０３；ＹＥＳ）、移動型受信装置５Ｂは、移動監視処理を実行する（ステップＳ１０４）。図１４は、移動監視処理のフローチャートである。移動型受信装置５Ｂの制御部５０は、位置検出部５４から緯度経度を取得する（ステップＳ４０１）。次に、制御部５０は、図１１のステップＳ２０４においてワークメモリ５０ｍに記憶した位置情報である基準点の緯度経度と、一定期間ごと又は特定の事象を起因として、位置検出部５４から適宜取得した緯度経度との差分距離を算出する（ステップＳ４０２）。
【０１１５】
次に、制御部５０は、算出した差分距離が図１１のステップＳ２１０でサーバから受信端末に送られた「移動監視距離」より大きいか否かを判別する（ステップＳ４０３）。図１５は、移動監視範囲（通信エリア）Ｓを示す図である。図１５の移動監視範囲Ｓにおいて、移動監視距離は、基準点Ｐを中心とする半径Ｒで表される。
【０１１６】
図１４において、算出した距離が監視距離より大きい場合には（ステップＳ４０３；ＹＥＳ）、制御部５０は、現在受信している放送局のIP配信エリアを越えていることから、受信停止処理を行う（ステップＳ４０４）。次に、制御部５０は、緯度経度変換処理を実行する（ステップＳ４０５）。緯度経度変換処理は、図１１のフローチャートに示したステップＳ２０１からステップＳ２０４までの一連の処理である。制御部５０は、この緯度経度変換処理によって、放送局管理サーバ３から新たに受信した郵便番号が記憶済みの郵便番号と一致するか否かを判別する（ステップＳ４０６）。
【０１１７】
受信した郵便番号が記憶済みの郵便番号と一致しない場合には（ステップＳ４０６；ＮＯ）、制御部５０は、地域特定処理を実行する（ステップＳ４０７）。地域特定処理は、図１１のフローチャートに示したステップＳ２０５からステップＳ２１２までの一連の処理である。制御部５０は、この地域特定処理によって、変換後の新たな郵便番号を記憶する（ステップＳ４０８）。次に、制御部５０は、新たな郵便番号に対応する緯度経度を基準点として記憶する（ステップＳ４０９）。
【０１１８】
新たな基準点を記憶した後、制御部５０は、通信網１０経由での放送情報の受信を継続する（ステップＳ４１０）。制御部５０は、操作入力部５１から受信終了の指示がなされたか否かを判別する（ステップＳ４１１）。なお、受信終了の指示は、通信回線の故障等の理由により、放送局管理サーバ３から自動的に指示するようにしてもよい。受信終了の指示があったときは、制御部５０は、このフローチャートを終了してメインルーチンのフローチャート（図示せず）に戻る。
【０１１９】
算出した距離が監視距離以下である場合（ステップＳ４０３；ＮＯ）、受信した郵便番号が記憶済みの郵便番号と一致した場合（ステップＳ４０６；ＹＥＳ）、又は受信終了の指示がない場合（ステップＳ４１１；ＮＯ）には、制御部５０は、継続してコンテンツを取得できるので、一定期間（あるいは、受信レベルの低下等の特定の事象が発生するまで）待機する（ステップＳ４１２）。例えば、一定期間ごとのタイマ割込があるまで待機する。もちろん、この待機期間中においても、継続してコンテンツを取得する。一定期間待機した後は、制御部５０は、ステップＳ４０１に移行して、位置検出部５４から緯度経度を取得する。この後は、ステップＳ４１１において受信終了指示がない限り、ステップＳ４０１からステップＳ４１２までのルーチンを繰り返す。
【０１２０】
９．情報配信処理
図１３のステップＳ３０８において、移動型受信装置５Ｂと放送局ポータルサーバ４との間で通信が確立した後は、情報配信システム１は、コンテンツ配信処理を実行する。図１６は、実施形態１における移動型受信装置５Ｂと放送局ポータルサーバ４との間で実行されるコンテンツ配信処理のフローチャートである。移動型受信装置５Ｂの制御部５０は、図１３のステップＳ３０８において、視聴対象の放送局２の放送情報を提供する放送局ポータルサーバ４との間で通信が確立したときは、図１６のコンテンツ配信処理に移行する。
【０１２１】
制御部５０は、放送局管理サーバ３から受信して、図１１のステップＳ２０４においてワークメモリ５０ｍに記憶した郵便番号、登録情報記憶部５９に記憶されている受信装置型番等の機器情報、及びチューナ情報を放送局ポータルサーバ４に送信する（ステップＳ５０１）。
【０１２２】
放送局ポータルサーバ４の制御部４７は、放送局情報ＤＢ４４を参照して、移動型受信装置５Ｂから受信した放送局情報に対応する放送情報の受信レベル条件を取得する（ステップＳ５０２）。次に、制御部４７は、チューナＩＣ情報ＤＢ４６を参照して、移動型受信装置５Ｂから受信した機器情報に対応するチューナ情報を取得する（ステップＳ５０３）。具体的には、制御部４７は、移動型受信装置５Ｂから送信された機器情報から移動型受信装置５Ｂの「受信装置メーカコード」及び「受信装置型番」を抽出すると共に、チューナＩＣ情報ＤＢ４６を参照して、抽出した情報と一致するチューナ情報を取得する。
【０１２３】
次に、制御部４７は、ステップＳ５０２で取得した受信レベル条件と、ステップＳ５０３で取得したチューナ情報とに基づいて、配信可否判別処理を行う（ステップＳ５０４）。この配信可否判別処理では、移動型受信装置５Ｂにおいて放送が実際に受信できているか否かを判別する。例えば、移動型受信装置５Ｂが放送局ポータルサーバ４に接続した後、機器情報から移動型受信装置５Ｂが備えているチューナ情報が判別できる。そのチューナ情報に含まれているＲＳＳＩ及びＳ／Ｎ比と、移動型受信装置５Ｂが現在位置している地域での受信レベル条件とを比較する。
【０１２４】
制御部４７は、配信可否判別結果から配信が可能であるか否かを判別する（ステップＳ５０５）。配信が可能でない場合には（ステップＳ５０５；ＮＯ）、制御部４７は、移動型受信装置５Ｂから受信した郵便番号からエリア区分を取得する（ステップＳ５０６）。具体的には、制御部４７は、図８（Ｂ）に示したテーブルを参照して、移動型受信装置５Ｂから受信した郵便番号に対応するエリア区分を特定する。エリア区分は、フリンジエリア（難視聴地域）か否かを識別するフラグで構成されている。上記したように、フリンジエリアの場合は、フラグが「１」であり、フリンジエリアでない場合は、フラグが「０」である。次に、制御部４７は、エリア区分を外部キーとして図８（Ｃ）のテーブルを参照し、その特定したエリア区分に対応する受信レベル条件を取得する。
【０１２５】
次に、制御部４７は、取得したエリア区分がフリンジエリアであるか否かを判別する（ステップＳ５０７）。例えば、移動型受信装置５Ｂから受信した郵便番号が「１０４００６１」の場合には、エリア区分は「０」であるので、フリンジエリアではない。一方、移動型受信装置５Ｂから受信した郵便番号が「１０４００５２」の場合には、エリア区分は「１」であるので、フリンジエリアである。
【０１２６】
制御部４７は、取得したエリア区分のフラグに基づいて、配信可否判別処理を行う（ステップＳ５０８）。具体的には、移動型受信装置５Ｂの機器情報におけるチューナ情報が、図８（Ｃ）を参照して取得したエリア区分における受信レベル条件を満たすか否かにより、配信可否判別処理を行う。制御部４７は、この配信可否判別処理の結果によって、配信可能か否かを判別する（ステップＳ５０９）。
【０１２７】
ステップＳ５０８の配信可否判定処理で配信可能でないと判別したときは（ステップＳ５０９；ＮＯ）、制御部４７は、放送局ポータルサーバ４が提供するコンテンツが配信不可であるとの判別結果を設定する（ステップＳ５１０）。一方、配信可能であると判別したときは（ステップＳ５０９；ＹＥＳ）、制御部４７は、放送局ポータルサーバ４が提供するコンテンツが配信可能であるとの判別結果を設定する（ステップＳ５１１）。ステップＳ５１０又はステップＳ５１１の後、制御部４７は、その判別結果を移動型受信装置５Ｂに送信する（ステップＳ５１２）。
【０１２８】
移動型受信装置５Ｂの制御部５０は、放送局ポータルサーバ４から受信した判別結果がコンテンツ受信可能であるか否かを判別する（ステップＳ５１３）。判別結果がコンテンツ受信可能である場合には（ステップＳ５１３；ＹＥＳ）、制御部５０は、放送局ポータルサーバ４からコンテンツを取得する（ステップＳ５１４）。制御部５０は、その取得したコンテンツに対してデマルチプレクス処理及びデコード処理等の必要な処理を施して、音声再生装置７及び（映像データがあるときは）表示装置６に出力する（ステップＳ５１５）。
【０１２９】
一方、判別結果がコンテンツ受信不可である場合には（ステップＳ５１３；ＮＯ）、制御部５０は、通信網１０を経由して放送局ポータルサーバ４からコンテンツを取得することができないので、放送局２から送信される放送波のコンテンツを受信し、音声再生装置７及び（映像データがあるときは）表示装置６に出力する（ステップＳ５１６）。
【０１３０】
以上のように、上記実施形態１の情報配信システム１は、放送局２から送信されるコンテンツを、通信網１０を経由して提供する放送局ポータルサーバ４と、放送局２から送信されるコンテンツを受信する移動型受信装置５Ｂと、を備えている。
【０１３１】
移動型受信装置５Ｂは、通信網１０を経由して放送局ポータルサーバ４から提供されるコンテンツを受信するチューナ部５２と、衛星から受信した信号によって現在位置の位置情報を検出する位置検出部５４と、位置検出部５４によって検出された位置情報に対応する郵便番号又はその他の地域情報を記憶する記憶部であるワークメモリ５０ｍと、ワークメモリ５０ｍに記憶された地域情報と共に受信対象の放送局情報を放送局ポータルサーバ４に送信するネットワーク接続部５５と、ネットワーク接続部５５が送信した地域情報及び放送局情報に応答した放送局ポータルサーバ４からコンテンツが配信可能である旨の配信判別情報が送信された場合には、ネットワーク接続部５５を制御して通信網１０を経由してコンテンツを受信させ、放送局ポータルサーバ４からコンテンツが配信不可である旨の配信判別情報が送信された場合には、放送局ポータルサーバ４から提供される放送情報の受信を停止させる制御部５０と、を有する。
【０１３２】
放送局ポータルサーバ４は、移動型受信装置５Ｂから送信された地域情報及び放送局情報に適合する放送局２のコンテンツの配信が可能か否かを判別して、コンテンツが配信可能である旨又はコンテンツが配信不可である旨の配信判別情報を設定する配信可否判別部４１と、配信可否判別部４１によって設定された配信判別情報を移動型受信装置５Ｂに送信する通信制御部４３と、を有する。
【０１３３】
したがって、この実施形態１によれば、移動型受信装置５Ｂの制御部５０は、放送局ポータルサーバ４からコンテンツが配信不可である旨の配信判別情報が送信された場合には、放送局ポータルサーバ４から提供される放送情報の受信を停止させるので、現在地情報が変動する移動型受信装置５Ｂであっても、ＩＰ配信の視聴制限を適正に決定することができる。
【０１３４】
また、実施形態１によれば、任意の位置情報に対応して変換される地域情報を記憶する位置情報変換ＤＢ３５と、移動型受信装置５Ｂから位置情報が送信されたときは、位置情報変換ＤＢ３５を参照して、その位置情報に対応する地域情報（郵便番号）を特定する地域特定処理部３２と、地域特定処理部３２によって特定された地域情報を移動型受信装置５Ｂに送信する通信制御部３４と、を有すると共に、通信網１０に接続される放送局管理サーバ３をさらに備えている。これにより、移動型受信装置５Ｂにおいて、ネットワーク接続部５５は、位置検出部５４によって検出された位置情報を放送局管理サーバ３に送信し、ワークメモリ５０ｍは、放送局管理サーバ３から送信された地域情報を記憶する。
【０１３５】
したがって、携帯電話やナビゲーションシステムに代表される移動型受信装置５Ｂ内に、膨大なデータ量である位置情報変換データベースを搭載する必要がないので、移動型受信装置５Ｂの小型化、軽量化、及びコスト低減を実現することができる。
【０１３６】
また、実施形態１によれば、放送局管理サーバ３において、移動型受信装置５Ｂから機器種別を示す機器情報が送信されたときは、その機器種別によって受信装置５が固定型受信装置５Ａであるか又は移動型受信装置５Ｂであるかを認証する機器認証部３１をさらに有し、地域特定処理部３２は、機器認証部３１によって受信装置５が移動型受信装置５Ｂであると認証されたときは、通信制御部３４によって送信される地域情報に移動監視距離を付与する。移動型受信装置５Ｂにおいて、ワークメモリ５０ｍは、放送局管理サーバ３から送信された移動監視距離及び位置検出部５４によって検出された位置情報を記憶し、制御部５０は、位置検出部５４によって一定期間ごとに又は特定の事象（例えば、受信レベルの低下）に起因して検出される位置情報とワークメモリ５０ｍに記憶された位置情報との差分距離が、移動監視距離を超えたか否かを判別し、差分距離が移動監視距離を超えたと判別したときは、現在視聴しているコンテンツを継続して視聴できるか否かを放送局ポータルサーバ４に問い合わせ、問い合わせ結果により移動体受信装置５Ｂがコンテンツ受信および出力の継続・停止の制御を行う。
【０１３７】
したがって、移動型受信装置５Ｂの移動位置を監視することにより、移動型受信装置５ＢにおけるＩＰ配信の視聴制限をより適正に決定することができる。
【０１３８】
また、実施形態１によれば、放送局ポータルサーバ４において、配信可否判別部４１は、移動型受信装置５Ｂから地域情報及び放送局情報と共に放送波の受信状況が送信されたときは、放送局情報に基づいて地域情報における受信条件を取得し、受信状況が受信条件を満たすか否かを判別して、受信状況が前記受信条件を満たすと判別した場合には、コンテンツが配信可能である旨の配信判別情報を設定する。
【０１３９】
したがって、移動型受信装置５Ｂが位置している地域情報における受信条件と、移動型受信装置５Ｂの受信状況とを比較することにより、移動型受信装置５ＢにおけるＩＰ配信の視聴制限を柔軟且つ適正に決定することができる。
【０１４０】
さらにこの場合において、放送局ポータルサーバ４の配信可否判別部４１は、機器情報における受信状況が受信条件を満たさないと判別した場合には、移動体受信装置Ｂ５の地域情報が難視聴地域（フリンジエリア）であるか否かを判別して、地域情報が難視聴地域（フリンジエリア）でないと判別した場合には、コンテンツが配信可能である旨の配信判別情報を設定し、地域情報が難視聴地域（フリンジエリア）であると判別した場合には、コンテンツが配信不可である旨の配信判別情報を設定する。
【０１４１】
したがって、移動型受信装置５Ｂの受信性能が受信条件を満たさない場合であっても、実質的に受信が可能であるか否かを判別することにより、ユーザに対するコンテンツ配信のサービスが向上する。
なお、以上の説明において、コンテンツの受信開始時の移動型受信装置５Ｂの位置を基準点として記憶し、この位置から所定距離（監視距離）移動したときに、配信・受信の可否を再チェックしたが、配信・受信の可否を再チェックするタイミングはこれに限定されない。コンテンツの配信・受信開始後、適宜のタイミングで繰り返してチェックできれば、その手法自体は任意である。
例えば、距離条件と時間条件を組み合わせて、「移動距離が≧監視距離となったとき、及び（又は）、経過時間≧監視時間」となったときに、チェックを行う、ようにするなどしてもよい。
また、位置情報から地域情報の変換を放送局ポータルサーバ４で行うことも可能である。この場合、放送局ポータルサーバ４が上述と同様の変換用データベースを備えればよい。
【０１４２】
（実施形態２）
次に、本発明の実施形態２における情報配信システム及び情報配信方法について説明する。なお、実施形態１において図１乃至図１５に示した構成は、実施形態２乃至後述する実施形態４においても同一であるので、図及び説明は省略すると共に、適宜実施形態１の図及び説明を適宜援用する。
【０１４３】
図１７は、実施形態２における移動型受信装置５Ｂと放送局ポータルサーバ４との間で実行されるコンテンツ配信処理のフローチャートである。移動型受信装置５Ｂの制御部５０は、図１３のステップＳ３０８において、視聴対象の放送局２の放送情報を提供する放送局ポータルサーバ４との間で通信が確立したときは、図１７のコンテンツ配信処理に移行する。
【０１４４】
制御部５０は、操作入力部５１から入力された受信対象の放送局の周波数と、放送局管理サーバ３から受信して、図１１のステップＳ２０４においてワークメモリ５０ｍに記憶した郵便番号と登録情報記憶部５９に記憶されている受信装置型番等の機器情報を放送局ポータルサーバ４に送信する（ステップＳ６０１）。
【０１４５】
放送局ポータルサーバ４の制御部４７は、移動型受信装置５Ｂから送信された郵便番号からエリア区分を取得する（ステップＳ６０２）。次に、制御部４７は、取得したエリア区分がフリンジエリアであるか否かを判別する（ステップＳ６０３）。フリンジエリアである場合には（ステップＳ６０３；ＹＥＳ）、制御部４７は、移動型受信装置５Ｂの受信感度情報のアップロード（取得）が必要であると判別する（ステップＳ６０４）。一方、フリンジエリアでない場合には（ステップＳ６０３；ＮＯ）、制御部４７は、移動型受信装置５Ｂの受信感度情報のアップロードは不要であると判別する（ステップＳ６０５）。制御部４７は、ステップＳ６０４又はステップ６０５の判別結果を移動型受信装置５Ｂに送信する（ステップＳ６０６）。
【０１４６】
移動型受信装置５Ｂの制御部５０は、放送局ポータルサーバ４から送信された判別結果により受信感度情報のアップロードが必要であるか否かを判別する（ステップＳ６０７）。受信感度情報のアップロードが必要であると判別したときは（ステップＳ６０７；ＹＥＳ）、制御部５０は、受信感度情報と共に機器情報とチューナ情報を放送局ポータルサーバ４に送信する（ステップＳ６０８）。
【０１４７】
放送局ポータルサーバ４の制御部４７は、チューナＩＣ情報ＤＢ４６を参照して、移動型受信装置５Ｂから受信した機器情報に対応するチューナ情報を取得する（ステップＳ６０９）。具体的には、制御部４７は、移動型受信装置５Ｂから送信された機器情報から、移動型受信装置５Ｂの「受信装置メーカコード」及び「受信装置型番」を抽出すると共に、チューナＩＣ情報ＤＢ４６を参照して、抽出した情報と一致するチューナ情報を取得する。
【０１４８】
次に、制御部４７は、取得したチューナ情報および受信感度情報に基づいて、コンテンツ配信が可能であるか否かを判別する（ステップＳ６１０）。ステップＳ６１０における判断は、チューナ情報に対して受信感度情報がフリンジエリアにおける受信感度として妥当か否の判断により、コンテンツの配信要否を判断する。コンテンツ配信が可能でない場合には（ステップＳ６１０；ＮＯ）、制御部４７は、判別結果をコンテンツ配信不可に設定する（ステップＳ６１１）。一方、コンテンツ配信が可能である場合には（ステップＳ６１０；ＹＥＳ）、制御部４７は、判別結果をコンテンツ配信可能に設定する（ステップＳ６１２）。制御部４７は、ステップＳ６１１又はステップＳ６１２で設定した判別結果を移動型受信装置５Ｂに送信する（ステップＳ６１３）。
【０１４９】
移動型受信装置５Ｂの制御部５０は、放送局ポータルサーバ４から送信された判別結果によって、コンテンツ受信が可能であるか否かを判別する（ステップＳ６１４）。コンテンツ受信が可能である場合（ステップＳ６１４；ＹＥＳ）、又は受信感度情報のアップロードが必要ない場合には（ステップＳ６０７；ＮＯ）、制御部５０は、放送局ポータルサーバ４からコンテンツを取得する（ステップＳ６１５）。制御部５０は、そのコンテンツに対してデマルチプレクス処理及びデコード処理等の必要な処理を施して、音声再生装置７及び（映像データがあるときは）表示装置６に出力する（ステップＳ６１６）。
【０１５０】
一方、判別結果がコンテンツ受信不可である場合には（ステップＳ６１４；ＮＯ）、制御部５０は、通信網１０を経由して放送局ポータルサーバ４からコンテンツを取得することができないので、放送局２から送信される放送波に含まれるコンテンツを受信し、デマルチプレクス処理及びデコード処理等の必要な処理を施して、音声再生装置７及び（映像データがあるときは）表示装置６に出力する（ステップＳ６１７）。
【０１５１】
以上のように、上記実施形態２によれば、放送局ポータルサーバ４において、配信可否判別部４１は、移動型受信装置５Ｂから送信された地域情報及び放送局情報に基づいて、地域情報が難視聴地域であると判別した場合には、受信感度情報のアップロードが必要である旨の判別結果を通信制御部４３により移動型受信装置５Ｂに送信し、移動型受信装置５Ｂから受信感度情報及び機器情報が送信されたときは、アップロードされた機器情報および受信感度情報に基づいてコンテンツが配信可能である旨又は配信不可である旨の配信判別情報を設定して、通信制御部４３により移動型受信装置５Ｂに送信する。
【０１５２】
したがって、地域情報が難視聴地域であると判別した場合でも、移動型受信装置５Ｂの受信感度情報に基づき適切にコンテンツの配信可否を判断するため、移動型受信装置５Ｂに対するコンテンツ配信サービスの質がよりいっそう向上する。
【０１５３】
（実施形態３）
次に、本発明の実施形態３における情報配信システム及び情報配信方法について説明する。図１８は、実施形態３における移動型受信装置５Ｂと放送局ポータルサーバ４との間で実行されるコンテンツ配信処理のフローチャートである。移動型受信装置５Ｂの制御部５０は、図１３のステップＳ３０８において、視聴対象の放送局２の放送情報を提供する放送局ポータルサーバ４との間で通信が確立したときは、図１８のコンテンツ配信処理に移行する。
【０１５４】
制御部５０は、操作入力部５１から入力された受信対象の放送局の周波数と、放送局管理サーバ３から受信して、図１１のステップＳ２０４においてワークメモリ５０ｍに記憶した郵便番号と登録情報記憶部５９に記憶されている受信装置型番等の機器情報及びチューナ情報を放送局ポータルサーバ４に送信する（ステップＳ７０１）。
【０１５５】
放送局ポータルサーバ４の制御部４７は、移動型受信装置５Ｂから送信された機器情報及びチューナ情報を放送局管理サーバ３に送信する（ステップＳ７０２）。
【０１５６】
放送局管理サーバ３の制御部３８は、放送局ポータルサーバ４から送信された放送局情報に基づいて、全放送局情報ＤＢ３６から受信レベル条件を取得する（ステップＳ７０３）。次に、制御部３８は、放送局ポータルサーバ４から送信された機器情報に基づいて、チューナ情報を取得する（ステップＳ７０４）。具体的には、制御部３８は、放送局ポータルサーバ４を介して移動型受信装置５Ｂから送信された機器情報に基づいて、移動型受信装置５Ｂの「受信装置メーカコード」及び「受信装置型番」を抽出すると共に、チューナＩＣ情報ＤＢ３７を参照して、抽出した情報と一致するチューナ情報を取得する。
【０１５７】
次に、制御部３８は、取得した受信レベル条件及びチューナ情報に基づいて、コンテンス配信が可能か否かの配信可否判別処理を行う（ステップＳ７０５）。制御部３８は、配信可否判別結果を放送局ポータルサーバ４に送信する（ステップＳ７０６）。すなわち、実施形態３においては、放送局管理サーバ３は、放送局ポータルサーバ４の配信可否判別処理を代行する。
【０１５８】
放送局ポータルサーバ４の制御部４７は、放送局管理サーバ３から送信された配信可否判別結果によって、コンテンツ配信が可能であるか否かを判別する（ステップＳ７０７）。コンテンツ配信が不可である場合には（ステップＳ７０７；ＮＯ）、制御部４７は、移動型受信装置５Ｂから送信された郵便番号に基づいて、放送局情報ＤＢ４４を参照し、図８（Ｂ）からエリア区分を取得する（ステップＳ７０８）。
【０１５９】
次に、制御部４７は、エリア区分のフラグに基づいて、そのエリア区分がフリンジエリアであるか否かを判別する（ステップＳ７０９）。フリンジエリアである場合には（ステップＳ７０９；ＹＥＳ）、制御部４７は、さらに受信可否判別処理を行う（ステップＳ７１０）。
【０１６０】
制御部４７は、受信可否判別処理に基づいて、コンテンツ配信が可能か否かを判別する（ステップＳ７１１）。コンテンツ配信が不可である場合には（ステップＳ７１１；ＮＯ）、制御部４７は、コンテンツ配信不可を判別結果に設定する（ステップＳ７１２）。
【０１６１】
一方、コンテンツ配信が可能である場合（ステップＳ７１１；ＹＥＳ）、放送局管理サーバ３から送信された配信可否判別結果によりコンテンツ配信が可能である場合（ステップＳ７０７；ＹＥＳ）、又は、郵便番号から取得したエリア区分がフリンジエリアでない場合には（ステップＳ７０９；ＮＯ）、制御部４７は、コンテンツ配信可能を判別結果に設定する（ステップＳ７１３）。
【０１６２】
制御部４７は、ステップＳ７１２又はステップＳ７１３において設定した判別結果を移動型受信装置５Ｂに送信する（ステップＳ７１４）。
【０１６３】
移動型受信装置５Ｂの制御部５０は、放送局ポータルサーバ４から送信された判別結果によって、コンテンツ受信が可能であるか否かを判別する（ステップＳ７１５）。コンテンツ受信が可能である場合（ステップＳ７１５；ＹＥＳ）、制御部５０は、放送局ポータルサーバ４からコンテンツを取得する（ステップＳ７１６）。制御部５０は、そのコンテンツに対してデマルチプレクス処理及びデコード処理等の必要な処理を施して、音声再生装置７及び（映像データがあるときは）表示装置６に出力する（ステップＳ７１８）。
【０１６４】
一方、判別結果がコンテンツ受信不可である場合には（ステップＳ７１５；ＮＯ）、制御部５０は、通信網１０を経由して放送局ポータルサーバ４からコンテンツを取得することができないので、放送局２から送信される放送波に含まれるコンテンツを受信し、デマルチプレクス処理及びデコード処理等の必要な処理を施して、音声再生装置７及び（映像データがあるときは）表示装置６に出力する（ステップＳ７１７）。
【０１６５】
以上のように、上記実施形態３によれば、放送局ポータルサーバ４において、通信制御部４３は、移動型受信装置５Ｂから地域情報、放送局情報及び機器情報が送信されたときは、放送局情報及び機器情報を放送局管理サーバ３に送信して配信可否判別処理を委託し、放送局管理サーバ３から配信可能である旨の配信可否判別結果が送信されたときは、コンテンツの配信が可能である旨の配信判別情報を移動型受信装置５Ｂに送信し、放送局管理サーバ３から配信不可である旨の配信可否判別結果が送信されたときは、配信可否判別部４１により地域情報が難視聴地域でないと判別された場合に、コンテンツが配信可能である旨の配信判別情報を移動型受信装置５Ｂに送信し、配信可否判別部４１により地域情報が難視聴地域であると判別された場合に、コンテンツが配信不可である旨の配信判別情報を移動型受信装置５Ｂに送信する。
【０１６６】
したがって、放送局ポータルサーバ４は、放送局管理サーバ３に配信可否判別処理を委託することにより、処理負荷を軽減できるので、移動型受信装置５Ｂに対するコンテンツ配信サービスの質を充実することができる。
【０１６７】
（実施形態４）
次に、本発明の実施形態４における情報配信システム及び情報配信方法について説明する。図１９は、実施形態４における移動型受信装置５Ｂと放送局ポータルサーバ４との間で実行されるコンテンツ配信処理のフローチャートである。移動型受信装置５Ｂの制御部５０は、図１３のステップＳ３０８において、視聴対象の放送局２の放送情報を提供する放送局ポータルサーバ４との間で通信が確立したときは、図１９のコンテンツ配信処理に移行する。
【０１６８】
制御部５０は、操作入力部５１から入力された受信対象の放送局の周波数と、放送局管理サーバ３から受信して、図１１のステップＳ２０４においてワークメモリ５０ｍに記憶した郵便番号と登録情報記憶部５９に記憶されている受信装置型番等の機器情報を放送局ポータルサーバ４に送信する（ステップＳ８０１）。
【０１６９】
放送局ポータルサーバ４の制御部４７は、移動型受信装置５Ｂから送信された郵便番号からエリア区分を取得する（ステップＳ８０２）。次に、制御部４７は、取得したエリア区分がフリンジエリアであるか否かを判別する（ステップＳ８０３）。フリンジエリアである場合には（ステップＳ８０３；ＹＥＳ）、制御部４７は、移動型受信装置５Ｂの受信感度情報のアップロードが必要であると判別する（ステップＳ８０４）。一方、フリンジエリアでない場合には（ステップＳ８０３；ＮＯ）、制御部４７は、移動型受信装置５Ｂの受信感度情報のアップロードは不要であると判別する（ステップＳ８０５）。制御部４７は、ステップＳ８０４又はステップ８０５の判別結果を移動型受信装置５Ｂに送信する（ステップＳ８０６）。
【０１７０】
移動型受信装置５Ｂの制御部５０は、放送局ポータルサーバ４から送信された判別結果により受信感度情報のアップロードが必要であるか否かを判別する（ステップＳ８０７）。受信感度情報のアップロードが必要であると判別したときは（ステップＳ８０７；ＹＥＳ）、受信感度情報と共に機器情報及びチューナ情報を放送局ポータルサーバ４に送信する（ステップＳ８０８）。
【０１７１】
放送局ポータルサーバ４の制御部４７は、移動型受信装置５Ｂから送信されたチューナ情報を放送局管理サーバ３に送信する（ステップＳ８０９）。
【０１７２】
放送局管理サーバ３の制御部３８は、放送局ポータルサーバ４を介して移動型受信装置５Ｂから送信された機器情報に基づいて、チューナＩＣ情報ＤＢ３７を参照して、チューナ情報を取得する（ステップＳ８１０）。次に、制御部３８は、取得したチューナ情報および受信感度情報に基づいて、配信可否判別処理を行う（ステップＳ８１１）。すなわち、実施形態４においては、放送局管理サーバ３は、放送局ポータルサーバ４の配信可否判別処理を代行する。
【０１７３】
制御部３８は、配信可否判別処理によってコンテンツ配信が可能か否かを判別する（ステップＳ８１２）。コンテンツ配信が可能である場合には（ステップＳ８１２；ＹＥＳ）、制御部３８は、コンテンツ配信可能を判別結果に設定する（ステップＳ８１３）。一方、コンテンツ配信が不可である場合には（ステップＳ８１２；ＮＯ）、制御部３８は、コンテンツ配信不可を判別結果に設定する（ステップＳ８１４）。制御部３８は、ステップＳ８１３又はステップＳ８１４において設定した判別結果を放送局ポータルサーバ４に送信する（ステップＳ８１５）。
【０１７４】
放送局ポータルサーバ４の制御部４７は、放送局管理サーバ３から送信された判別結果を移動型受信装置５Ｂに送信する（ステップＳ８１６）。
【０１７５】
移動型受信装置５Ｂの制御部５０は、放送局ポータルサーバ４から送信された判別結果によって、コンテンツ受信が可能であるか否かを判別する（ステップＳ８１７）。コンテンツ受信が可能である場合（ステップＳ８１７；ＹＥＳ）、又は受信感度情報のアップロードが必要ない場合には（ステップＳ８０７；ＮＯ）、制御部５０は、放送局ポータルサーバ４からコンテンツを取得する（ステップＳ８１８）。制御部５０は、そのコンテンツに対してデマルチプレクス処理及びデコード処理等の必要な処理を施して、音声再生装置７及び（映像データがあるときは）表示装置６に出力する（ステップＳ８１９）。
【０１７６】
一方、判別結果がコンテンツ受信不可である場合には（ステップＳ８１７；ＮＯ）、制御部５０は、通信網１０を経由して放送局ポータルサーバ４からコンテンツを取得することができないので、放送局２から送信される放送波に含まれるコンテンツを受信し、デマルチプレクス処理及びデコード処理等の必要な処理を施して、音声再生装置７及び（映像データがあるときは）表示装置６に出力する（ステップＳ８２０）。
【０１７７】
以上のように、この実施形態４によれば、放送局ポータルサーバ４において、通信制御部４３は、移動型受信装置５Ｂから地域情報及び機器情報が送信されたときは、配信可否判別部４１により地域情報が難視聴地域であると判別された場合には、受信感度情報のアップロードを必要とする旨の判別結果を移動型受信装置５Ｂに送信し、移動型受信装置５Ｂから受信感度情報及び機器情報が送信されたときは、アップロードされた受信感度情報および機器情報を放送局管理サーバ３に送信して配信可否判別処理を委託し、放送局管理サーバ３から送信された配信可否判別結果によって、放送情報が配信可能である旨又は放送情報が配信不可である旨の配信判別情報を移動型受信装置５Ｂに送信する。
【０１７８】
したがって、地域情報が難視聴地域であると判別した場合でも、移動型受信装置５Ｂの受信感度情報に基づき、コンテンツの配信可否の判断を放送局管理サーバ３に配信可否判別処理を委託することにより、放送局ポータルサーバ４における処理負荷を軽減できる。このため、移動型受信装置５Ｂに対するコンテンツ配信のサービスをよりいっそう充実することができる。
【０１７９】
以上、上記実施形態１乃至実施形態４を例にとって本発明の情報配信システム及び情報配信方法について説明したが、本発明は上記実施形態に限定されるものではない。特許請求の範囲に記載された本発明の要旨の範囲内において、当業者によって容易に想到される種々の変形や変更が可能である。
【０１８０】
例えば、上記実施形態１乃至実施形態４においては、本発明の第１の観点及び第２の観点に係る情報配信システム及び情報配信方法について説明したが、本発明の第３の観点及び第４の観点に係る装置及びプログラムについても本発明の技術的範囲に属する。
【０１８１】
すなわち、本発明に係る移動型受信装置は、
放送局から送信される放送波に含まれる放送情報を受信するチューナ部と、
現在位置の位置情報を検出する位置検出部と、
前記位置検出部によって検出された位置情報に対応する地域情報を記憶する記憶部と、
受信開始時及び受信開始後の適時に、前記記憶部に記憶された前記地域情報と共に受信対象の放送局情報を放送局ポータルサーバに送信するネットワーク接続部と、
前記ネットワーク接続部が送信した前記地域情報及び前記放送局情報に応答した前記放送局ポータルサーバから放送情報が配信可能である旨の配信判別情報が送信された場合には、前記通信網を経由して放送情報を受信させ、前記放送局ポータルサーバから放送情報の受信が不可である旨の配信判別情報が送信された場合には、前記放送局から送信される放送波に含まれる放送情報を受信させる制御部と、を有する、ことを特徴とする。
【０１８２】
また、本発明に係るプログラムは、
放送局から送信される放送波に含まれる放送情報又は汎用の通信網を経由して放送局ポータルサーバから提供される放送情報を受信するステップと、
現在位置の位置情報を検出するステップと、
前記検出するステップによって検出された位置情報に対応する地域情報を記憶するステップと、
受信開始時及び受信開始後の適時に、前記記憶するステップによって記憶された前記地域情報と共に受信対象の放送局情報を前記放送局ポータルサーバに送信するステップと、
前記送信するステップによって送信された前記地域情報及び前記放送局情報に応答した前記放送局ポータルサーバから放送情報が配信可能である旨の配信判別情報が送信された場合には、前記通信網を経由して放送情報を受信させ、前記放送局ポータルサーバから放送情報の配信不可である旨の配信判別情報が送信された場合には、前記放送局から送信される放送波に含まれる放送情報を受信させるように制御するステップと、を移動型受信装置に実行させる、ことを特徴とする。
【符号の説明】
【０１８３】
１  情報配信システム
２  放送局
３  放送局管理サーバ
４  放送局ポータルサーバ
５  受信装置
５Ａ  固定型受信装置
５Ｂ  移動型受信装置
６  表示装置
７  音声再生装置
１０  通信網
２１  コンテンツストリーム作成部
２２  ＥＰＧ情報作成部
２３  データ放送作成部
２４  ＭＵＸ部
２５  放送用コンテンツＤＢ
２６  放送用スケジュールＤＢ
２７  データ放送用コンテンツＤＢ
２８，３８，４７，５０  制御部
２９，３９，４８  記憶部
３１  機器認証部
３２  地域特定処理部
３３  ポータルサーバ特定部
３４，４３  通信制御部
３５  位置情報変換ＤＢ
３６  全放送局情報ＤＢ
３７，４６  チューナＩＣ情報ＤＢ
４１  配信可否判別部
４２  コンテンツ生成部
４４  放送局情報ＤＢ
４５  コンテンツＤＢ
５０ｍ  ワークメモリ
５１  操作入力部
５２  チューナ部
５３  ＤＥＭＵＸ
５４  位置検出部
５５  ネットワーク接続部
５６  デコード部
５７  映像／音声出力部
５８  受信状況検出部
５９  登録情報記憶部
【図１】
2013077916.tif 000003
【図２】
2013077916.tif 000004
【図３】
2013077916.tif 000005
【図４】
2013077916.tif 000006
【図５】
2013077916.tif 000007
【図６】
2013077916.tif 000008
【図７】
2013077916.tif 000009
【図８】
2013077916.tif 000010
【図９】
2013077916.tif 000011
【図１０】
2013077916.tif 000012
【図１１】
2013077916.tif 000013
【図１２】
2013077916.tif 000014
【図１３】
2013077916.tif 000015
【図１４】
2013077916.tif 000016
【図１５】
2013077916.tif 000017
【図１６】
2013077916.tif 000018
【図１７】
2013077916.tif 000019
【図１８】
2013077916.tif 000020
【図１９】
2013077916.tif 000021